(57)【特許請求の範囲】
【請求項１】
媒体を装置内へ受け入れると共に装置内の媒体を引き渡すための入出部と、
前記媒体を一時的に保留する一時保留部と、
前記媒体を第１受渡口及び第２受渡口の間で搬送すると共に鑑別する鑑別部と、
前記媒体を収納する媒体収納庫と、
前記媒体収納庫に補充すべき前記媒体又は前記媒体収納庫から回収した前記媒体を収納する補充回収庫と、
少なくとも、前記補充回収庫との間で前記媒体を双方向に搬送する補充回収搬送路と、前記第１受渡口との間で前記媒体を双方向に搬送する第１搬送路との間を接続し、又は前記補充回収搬送路と、前記第２受渡口との間で前記媒体を双方向に搬送する第２搬送路との間を接続するよう、該搬送路同士の接続を２通り以上に切り替える補充回収切替器と、
前記第１搬送路上に設けられ、前記第１受渡口と前記媒体収納庫との間で前記媒体を搬送させ、又は前記第１受渡口と前記補充回収切替器との間で前記媒体を搬送させるよう切り替える収納切替器と、
前記鑑別部において正常で無いと鑑別されたリジェクト媒体を収納するリジェクト庫と、
前記第２搬送路上に設けられ、前記第２受渡口と前記リジェクト庫との間で前記媒体を搬送させ、又は前記第２受渡口と前記補充回収切替器との間で前記媒体を搬送させ、或いは前記補充回収切替器と前記リジェクト庫との間で前記媒体を搬送させるよう、前記媒体の搬送路同士の接続を３通りに切り替えるリジェクト切替器と
を具えることを特徴とする媒体処理装置。
【請求項２】
前記補充回収庫から繰り出され前記鑑別部において正常で無いと鑑別された前記媒体である補充リジェクト媒体を収納する補充リジェクト庫
をさらに具えることを特徴とする請求項１に記載の媒体処理装置。
【請求項３】
前記補充リジェクト庫は、前記第１搬送路上に設けられ前記媒体の搬送路を切り替える補充リジェクト切替器を介して、当該第１搬送路と接続されている
ことを特徴とする請求項２に記載の媒体処理装置。
【請求項４】
前記補充リジェクト庫は、前記媒体収納庫及び前記補充回収庫の間に配置されている
ことを特徴とする請求項３に記載の媒体処理装置。
【請求項５】
前記補充リジェクト切替器は、前記第１搬送路上における前記収納切替器及び前記補充回収切替器の間に配置されている
ことを特徴とする請求項３に記載の媒体処理装置。
【請求項６】
前記補充回収搬送路、前記第１搬送路及び前記第２搬送路、並びに前記補充回収切替器及び前記収納切替器を制御することにより、前記補充回収庫から繰り出された前記媒体を前記媒体収納庫へ搬送して収納させる補充処理において、前記補充回収庫から繰り出された前記媒体を、前記第２搬送路を介して前記鑑別部へ搬送し、該鑑別部により前記媒体が正常と鑑別された場合、前記第１搬送路を介して前記媒体収納庫へ搬送させ、前記鑑別部により前記媒体が正常でないと鑑別された場合、前記第１搬送路を介して前記補充リジェクト庫へ搬送させる制御部
をさらに具えることを特徴とする請求項２に記載の媒体処理装置。
【請求項７】
前記補充回収庫及び前記補充リジェクト庫は、一体の補充回収カセットを構成し、当該補充回収庫を開閉する補充回収庫扉と当該補充リジェクト庫を開閉する補充リジェクト庫扉とを有する
ことを特徴とする請求項２に記載の媒体処理装置。
【請求項８】
前記補充回収カセットは、前記媒体収納庫が配置される所定のフレームに対し着脱可能であり、前記フレームから取り外された場合、前記媒体収納庫を前記第１搬送路と接続させたまま、前記補充回収庫を前記補充回収搬送路から切り離すと共に、前記補充リジェクト庫を前記第１搬送路から切り離し、前記フレームに装着された場合、前記補充回収庫を前記補充回収搬送路と接続させると共に、前記補充リジェクト庫を前記第１搬送路と接続させる
ことを特徴とする請求項７に記載の媒体処理装置。
【請求項９】
前記補充回収切替器は、前記補充回収搬送路、前記第１搬送路及び前記第２搬送路のうち２つの搬送路を接続するよう、該搬送路同士の接続を３通りに切り替える
ことを特徴とする請求項１に記載の媒体処理装置。
【請求項１０】
前記収納切替器は、前記第１受渡口と前記補充回収切替器との間、前記第１受渡口と前記媒体収納庫との間、又は前記補充回収切替器と前記媒体収納庫との間で前記媒体を搬送させるよう切り替える
ことを特徴とする請求項１に記載の媒体処理装置。
【請求項１１】
複数の前記収納切替器と、
複数の前記収納切替器を介して前記第１搬送路とそれぞれ接続された複数の前記媒体収納庫と、
複数の前記収納切替器及び前記補充回収切替器における前記媒体の搬送経路をそれぞれ切り替えさせると共に、前記媒体収納庫及び前記補充回収庫において前記媒体を繰り出させ又は収納させるよう制御する制御部と
をさらに具え、
前記制御部は、
複数の前記媒体収納庫のうち一の前記媒体収納庫から繰り出された前記媒体を他の前記媒体収納庫へ搬送して収納させる媒体移動処理において、前記一の媒体収納庫から繰り出された前記媒体を前記鑑別部へ搬送し、該鑑別部により前記媒体が正常と鑑別された場合、該媒体を前記他の媒体収納庫へ搬送させる
ことを特徴とする請求項１０に記載の媒体処理装置。
【請求項１２】
前記一の媒体収納庫は、前記第１搬送路上における前記第１受渡口までの経路長が前記他の媒体収納庫よりも短く、
前記制御部は、前記媒体移動処理において前記一の媒体収納庫から繰り出され、前記第１搬送路を介して搬送された前記媒体が前記鑑別部により前記リジェクト媒体として鑑別された場合、該リジェクト媒体を前記第２搬送路から前記リジェクト庫へ搬送するよう前記リジェクト切替器による搬送経路を切り替えさせる
ことを特徴とする請求項１１に記載の媒体処理装置。
【請求項１３】
前記一の媒体収納庫は、前記第１搬送路上における前記第１受渡口までの経路長が前記他の媒体収納庫よりも長く、
前記制御部は、前記媒体移動処理において前記一の媒体収納庫から繰り出され、前記第２搬送路を介して搬送された前記媒体が前記鑑別部により前記リジェクト媒体として鑑別された場合、前記一の媒体収納庫からの前記媒体の繰出を停止し、該リジェクト媒体を前記第１搬送路を介して前記第２搬送路から前記リジェクト切替器により前記リジェクト庫へ搬送させた後、前記一の媒体収納庫からの前記媒体の繰出を再開させる
ことを特徴とする請求項１１に記載の媒体処理装置。
【請求項１４】
媒体を装置内へ受け入れると共に装置内の媒体を引き渡すための入出部と、
前記媒体を一時的に保留する一時保留部と、
前記媒体を第１受渡口及び第２受渡口の間で搬送すると共に鑑別する鑑別部と、
前記鑑別部の第１受渡口に接続される第１搬送路と、前記第２受渡口に接続される第２搬送路とを接続して環状に形成された環状搬送路と、
前記環状搬送路上に設けられた収納切替器を介して当該環状搬送路と接続され、前記媒体を収納する媒体収納庫と、
前記媒体収納庫に補充すべき前記媒体又は前記媒体収納庫から回収した前記媒体を収納する補充回収庫と、
前記補充回収庫と前記環状搬送路との間で前記媒体を双方向に搬送する補充回収搬送路と、
前記第１搬送路、前記第２搬送路及び前記補充回収搬送路の接続位置に設けられ、搬送路の接続を、少なくとも、前記第１搬送路及び前記補充回収搬送路と、前記第２搬送路及び前記補充回収搬送路との２通りに切り替える補充回収切替器と、
前記鑑別部において正常で無いと鑑別されたリジェクト媒体を収納するリジェクト庫と、
前記第２搬送路上に設けられ、前記第２受渡口と前記リジェクト庫との間で前記媒体を搬送させ、又は前記第２受渡口と前記補充回収切替器との間で前記媒体を搬送させ、或いは前記補充回収切替器と前記リジェクト庫との間で前記媒体を搬送させるよう、前記媒体の搬送路同士の接続を３通りに切り替えるリジェクト切替器と
を具えることを特徴とする媒体処理装置。
【発明の詳細な説明】
【技術分野】
【０００１】
本発明は媒体処理装置に関し、例えば顧客に紙幣等の媒体を投入させて所望の取引を行う現金自動預払機（ＡＴＭ：Automatic Teller Machine）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するものが広く普及している。
【０００３】
現金自動預払機としては、例えば顧客との間で紙幣の受渡を行う入出金部と、紙幣を搬送路に沿って搬送する搬送部と、投入された紙幣の金種及び真偽等を鑑別する鑑別部と、投入された紙幣を一時的に保留する一時保留部と、金種ごとに紙幣を格納する紙幣収納庫とを有するものが提案されている。
【０００４】
また現金自動預払機のなかには、筐体の後端等に、内部に紙幣を収容し得ると共に容易に着脱可能な補充回収庫を有するものがある。この補充回収庫は、装填庫とも呼ばれ、搬送部により各紙幣収納庫と接続されており、紙幣収納庫に紙幣を補充し、また紙幣収納庫から紙幣を回収することができる（例えば、特許文献１及び特許文献２参照）。
【先行技術文献】
【特許文献】
【０００５】
【特許文献１】特開２０１３−１７１４０２号公報（第２図）
【特許文献２】特開２０１５−６０２９０号公報（第２図）
【発明の概要】
【発明が解決しようとする課題】
【０００６】
しかしながら、現金自動預払機は、金融機関等の運用形態により、筐体に対して紙幣収納庫を着脱することにより紙幣の補充や回収を行う場合がある。このような場合、補充回収庫が使用されないため、筐体内に無駄な部材や空間を設けることになってしまう、という問題があった。
【０００７】
また現金自動預払機は、例えば特許文献２の構成において最も後側の紙幣カセットが補充回収庫であった場合、各切替器の構造上、補充回収庫と各紙幣収納庫との間で紙幣を直接搬送することができず、一時保留部を経由する必要がある。しかしながら一時保留部は、補充回収庫や各紙幣収納庫と比較して、紙幣の収納可能枚数が大幅に少ない。このため現金自動預払機は、一時保留部への収納及び当該一時保留部からの繰出を繰り返すことになり、紙幣の補充や回収に多大な時間を要し、効率が悪い、という問題もあった。
【０００８】
本発明は以上の点を考慮してなされたもので、様々な運用形態における各部の使用効率を高め得る媒体処理装置を提案しようとするものである。
【課題を解決するための手段】
【０００９】
かかる課題を解決するため本発明の媒体処理装置においては、媒体を装置内へ受け入れると共に装置内の媒体を引き渡すための入出部と、媒体を一時的に保留する一時保留部と、媒体を第１受渡口及び第２受渡口の間で搬送すると共に鑑別する鑑別部と、取引に用いる媒体を収納する媒体収納庫と、媒体収納庫に補充すべき媒体又は媒体収納庫から回収した媒体を収納する補充回収庫と、少なくとも、補充回収庫との間で媒体を双方向に搬送する補充回収搬送路と、第１受渡口との間で媒体を双方向に搬送する第１搬送路との間を接続し、又は補充回収搬送路と、第２受渡口との間で媒体を双方向に搬送する第２搬送路との間を接続するよう、該搬送路同士の接続を２通り以上に切り替える補充回収切替器と、第１搬送路上に設けられ、第１受渡口と媒体収納庫との間で媒体を搬送させ、又は第１受渡口と補充回収切替器との間で媒体を搬送させるよう切り替える収納切替器と、鑑別部において正常で無いと鑑別されたリジェクト媒体を収納するリジェクト庫と、第２搬送路上に設けられ、第２受渡口とリジェクト庫との間で媒体を搬送させ、又は第２受渡口と補充回収切替器との間で媒体を搬送させ、或いは補充回収切替器とリジェクト庫との間で媒体を搬送させるよう、媒体の搬送路同士の接続を３通りに切り替えるリジェクト切替器とを設けるようにした。
【００１０】
また本発明においては、媒体を装置内へ受け入れると共に装置内の媒体を引き渡すための入出部と、媒体を一時的に保留する一時保留部と、媒体を第１受渡口及び第２受渡口の間で搬送すると共に鑑別する鑑別部と、鑑別部の第１受渡口に接続される第１搬送路と、第２受渡口に接続される第２搬送路とを接続して環状に形成された環状搬送路と、環状搬送路上に設けられた収納切替器を介して当該環状搬送路と接続され、媒体を収納する媒体収納庫と、媒体収納庫に補充すべき媒体又は媒体収納庫から回収した媒体を収納する補充回収庫と、補充回収庫と環状搬送路との間で媒体を双方向に搬送する補充回収搬送路と、第１搬送路、第２搬送路及び補充回収搬送路の接続位置に設けられ、搬送路の接続を、少なくとも、第１搬送路及び補充回収搬送路と、第２搬送路及び補充回収搬送路との２通りに切り替える補充回収切替器と、鑑別部において正常で無いと鑑別されたリジェクト媒体を収納するリジェクト庫と、第２搬送路上に設けられ、第２受渡口とリジェクト庫との間で媒体を搬送させ、又は第２受渡口と補充回収切替器との間で媒体を搬送させ、或いは補充回収切替器とリジェクト庫との間で媒体を搬送させるよう、媒体の搬送路同士の接続を３通りに切り替えるリジェクト切替器とを設けるようにした。
【００１１】
本発明は、補充回収切替器により補充回収搬送路と第２搬送路とを接続した場合には、媒体を補充回収庫から鑑別部を経由して媒体収納庫へ搬送する補充処理と、媒体を媒体収納庫から鑑別部を経由して補充回収庫へ搬送する回収処理とを行い得る。これに加えて本発明は、補充回収切替器により補充回収搬送路と第１搬送路とを接続した場合には、利用者から入出部を介して受け取り、一時保留部に収納した媒体を鑑別部経由で媒体収納庫又は補充回収庫に収納する処理と、媒体収納庫又は補充回収庫から繰り出した媒体を鑑別部経由で入出部から利用者へ引き渡す処理とを行い得る。さらに本発明は、リジェクト切替器が搬送路同士の接続を３通りに切り替え得るため、媒体収納庫同士の間で鑑別部を経由して媒体を搬送する際にリジェクト媒体が発生した際に、媒体同士を衝突させること無く、且つ該衝突回避のための待機を必要とせず、該リジェクト媒体をリジェクト庫へ搬送させることができる。
【発明の効果】
【００１２】
本発明によれば、様々な運用形態における各部の使用効率を高め得る媒体処理装置を実現できる。
【図面の簡単な説明】
【００１３】
【図１】現金自動預払機の構成を示す略線的斜視図である。
【図２】第１の実施の形態による紙幣入出金機の構成を示す略線図である。
【図３】補充回収カセットの構成を示す略線図である。
【図４】第１の実施の形態による後搬送部の構成を示す略線図である。
【図５】第１の実施の形態による下搬送部の構成を示す略線図である。
【図６】第１の実施の形態による入金計数処理における紙幣の搬送経路を示す略線図である。
【図７】第１の実施の形態による入金された紙幣を返却する場合の搬送経路を示す略線図である。
【図８】第１の実施の形態による入金収納処理における紙幣の搬送経路を示す略線図である。
【図９】第１の実施の形態による出金処理における紙幣の搬送経路を示す略線図である。
【図１０】第１の実施の形態による取忘紙幣の取込処理における紙幣の搬送経路（１）を示す略線図である。
【図１１】第１の実施の形態による取忘紙幣の取込処理における紙幣の搬送経路（２）を示す略線図である。
【図１２】第１の実施の形態による補充処理における紙幣の搬送経路を示す略線図である。
【図１３】第１の実施の形態による回収処理における紙幣の搬送経路を示す略線図である。
【図１４】模式化した第１の実施の形態による紙幣入出金機の構成を示す略線図である。
【図１５】模式化した従来の紙幣入出金機の構成を示す略線図である。
【図１６】第２の実施の形態による紙幣入出金機の構成を示す略線図である。
【図１７】第２の実施の形態による下部ユニットの構成を示す略線図である。
【図１８】第２の実施の形態による後搬送部の構成を示す略線図である。
【図１９】第２の実施の形態による下搬送部の構成を示す略線図である。
【図２０】第２の実施の形態による入金収納処理における紙幣の搬送経路を示す略線図である。
【図２１】第２の実施の形態による取忘紙幣の取込処理における紙幣の搬送経路を示す略線図である。
【図２２】模式化した第２の実施の形態による紙幣入出金機の構成を示す略線図である。
【図２３】第３の実施の形態による紙幣入出金機の構成を示す略線図である。
【図２４】第３の実施の形態による下搬送部の構成を示す略線図である。
【図２５】第３の実施の形態による第１紙幣収納庫からの紙幣移動処理における紙幣の搬送経路を示す略線図である。
【図２６】第３の実施の形態による第２紙幣収納庫からの紙幣移動処理における紙幣の搬送経路を示す略線図である。
【図２７】第３の実施の形態による第３紙幣収納庫からの紙幣移動処理における紙幣の搬送経路を示す略線図である。
【図２８】第３の実施の形態による第４紙幣収納庫からの紙幣移動処理における紙幣の搬送経路を示す略線図である。
【図２９】模式化した第３の実施の形態による紙幣入出金機の構成を示す略線図である。
【図３０】他の実施の形態による補充回収カセットの構成を示す略線図である。
【発明を実施するための形態】
【００１４】
以下、発明を実施するための形態（以下実施の形態とする）について、図面を用いて説明する。
【００１５】
［１．第１の実施の形態］
［１−１．現金自動預払機の構成］
図１に外観を示すように、第１の実施の形態による現金自動預払機１は、箱状の筐体２を中心に構成されており、例えば金融機関等に設置され、利用者（すなわち金融機関の顧客）との間で入金取引や出金取引等の現金に関する取引を行うようになっている。
【００１６】
筐体２は、その前側に顧客が対峙した状態で紙幣の投入やタッチパネルによる操作等をしやすい箇所に顧客応対部３が設けられている。顧客応対部３は、カード入出口４、入出金口５、操作表示部６、テンキー７、及びレシート発行口８が設けられており、顧客との間で現金やキャッシュカード等を直接やり取りすると共に、取引に関する情報の通知や操作指示の受付を行う。
【００１７】
カード入出口４は、キャッシュカード等の各種カードが挿入または排出される部分である。カード入出口４の筐体内側には、各種カードに磁気記録された口座番号等の読み取りを行うカード処理部（図示せず）が設けられている。入出金口５は、開閉可能なシャッタを有しており、顧客により入金する紙幣が投入されると共に、顧客へ出金する紙幣が排出される部分である。
【００１８】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１９】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２０】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２１】
媒体処理装置としての紙幣入出金機１０は、図２に側面図を示すように、筐体１１の内部に媒体としての紙幣に関する種々の処理を行う複数の部分が組み込まれている。この紙幣入出金機１０の上側部分には、紙幣制御部１２、入出金部１３、前搬送部１４、後搬送部１５、鑑別部１６、一時保留部１７、後リジェクト庫１８及び取忘収納庫１９が設けられている。
【００２２】
また紙幣入出金機１０の筐体１１における下側部分には、上側部分との境界を形成するように紙幣を搬送する下搬送部２１が配置され、当該下搬送部２１の下側に、前側から順に３個の紙幣収納庫２２（２２Ａ、２２Ｂ及び２２Ｃ）、下リジェクト庫２３並びに補充回収庫２４が設けられている。
【００２３】
制御部としての紙幣制御部１２は、主制御部９と同様、図示しないＣＰＵを中心に構成されており、図示しないＲＯＭやフラッシュメモリ等から所定のプログラムを読み出して実行することにより、全体を統括制御する他、種々の処理を行う。また紙幣制御部１２は、内部にＲＡＭ及びフラッシュメモリ等でなる記憶部を有しており、この記憶部に種々の情報を記憶させる。
【００２４】
入出金部１３は、紙幣入出金機１０の前上部に位置しており、内部に紙幣を収容する収容器、紙幣を１枚ずつに分離する分離機構、紙幣を集積する集積機構（何れも図示せず）、及び紙幣を搬送する搬送機構等を有している。この入出金部１３は、顧客から受け取った紙幣を受け入れる場合には、該１枚ずつに分離して、下側の引渡口１３Ａから前搬送部１４に引き渡す。また入出金部１３は、紙幣を顧客に引き渡す場合には、後搬送部１５から搬送されてきた紙幣を受取口１３Ｂにより受け取って内部に集積し、顧客に受け取らせる。また入出金部１３は、図示しないセンサが組み込まれており、収容器から紙幣が取り出されたか否か等を検出して紙幣制御部１２に通知する。
【００２５】
前搬送部１４は、入出金部１３の下側且つ鑑別部１６の前側であって、下搬送部２１の上側に位置している。この前搬送部１４は、紙幣を案内する搬送ガイドや多数の回転するローラ等（一部のみ図示する）が適宜配置されることにより、入出金部受取口１４Ａ及び鑑別部受渡口１４Ｂの間と、当該鑑別部受渡口１４Ｂ及び下搬送部受渡口１４Ｃの間とで、それぞれ紙幣を搬送する搬送路を形成している。説明の都合上、鑑別部受渡口１４Ｂ及び下搬送部受渡口１４Ｃを結ぶ搬送路を前搬送路１４ＢＣとも呼ぶ。また前搬送部１４内には、搬送路同士の接続箇所において、紙幣の搬送先（進行方向）を切り換えるための切替器が適宜設けられている。
【００２６】
後搬送部１５は、入出金部１３及び鑑別部１６の後側であって、下搬送部２１の上側に位置している。この後搬送部１５は、前搬送部１４と同様、複数の搬送ガイドやローラ等、及び切替器が適宜配置されることにより、紙幣を搬送する搬送路を形成している（詳しくは後述する）。
【００２７】
鑑別部１６は、前搬送部１４及び後搬送部１５の間に配置されており、前側の前受渡口１６Ｆと後側の後受渡口１６Ｒとの間で前後方向に沿った搬送路（以下これを鑑別搬送路とも呼ぶ）を形成し、この鑑別搬送路に沿って搬送される紙幣を鑑別する。また以下では、前受渡口１６Ｆ及び後受渡口１６Ｒを、それぞれ第１受渡口及び第２受渡口とも呼ぶ。具体的に鑑別部１６は、内部に組み込まれた複数種類のセンサにより、搬送される紙幣の金種、真偽、正損（損傷しているか否か）等を認識し、その認識結果を紙幣制御部１２へ送出する。一時保留部１７は、後搬送部１５の後側に配置されており、内部に紙幣を取り込んで一時的に収納し、また繰り出すようになっている。
【００２８】
後リジェクト庫１８は、後搬送部１５の後側に配置されており、鑑別部１６から得られた鑑別結果を基に、紙幣制御部１２により損傷の程度が大きく再利用すべきで無いと判断された紙幣（いわゆるリジェクト紙幣であり、リジェクト媒体とも呼ぶ）が後搬送部１５により搬送されてくると、当該紙幣を内部に収納する。取忘収納庫１９は、後搬送部１５の後側に配置されており、後述する出金取引等において利用者が紙幣を取り忘れた場合に、この紙幣が後搬送部１５等により搬送されてくると、内部に取り込んで収納する。因みに取忘収納庫１９は、後リジェクト庫１８と一体に構成されており、また筐体１１に対し着脱可能となっている。
【００２９】
下搬送部２１は、前搬送部１４、鑑別部１６、後搬送部１５及び取忘収納庫１９の下側に位置しており、前搬送部１４及び後搬送部１５と同様、複数の搬送ガイドやローラ、或いは切替器等が適宜配置されることにより、主に前後方向に沿った搬送路を形成している（詳しくは後述する）。
【００３０】
紙幣収納庫２２（２２Ａ、２２Ｂ及び２２Ｃ）は、下搬送部２１の下側において、前方から後方へ向けて一列に整列されている。この紙幣収納庫２２は、内部に収納空間が形成されており、この収納空間に、紙面を上下に向けた姿勢で、多数の紙幣を上下方向に重ねるように集積して収納する。また紙幣収納庫２２は、下搬送部２１との間で紙幣を受け渡す受渡口が上面の前側に設けられ、この受渡口から下方及び後方へ進行する短い搬送路が内部に形成されている。このため紙幣収納庫２２は、下搬送部２１から受け渡される際に前方を向けていた紙面を、収納空間内では下方に向ける。
【００３１】
紙幣収納庫２２は、例えば入金取引等において下搬送部２１から引き渡される紙幣を内部に収納し、また出金取引等において内部に収納している紙幣を１枚ずつ繰り出して当該下搬送部２１に引き渡す。因みに各紙幣収納庫２２Ａ、２２Ｂ及び２２Ｃには、それぞれ収納する紙幣の金種が予め設定されている。説明の都合上、以下では紙幣収納庫２２Ａ、２２Ｂ及び２２Ｃをそれぞれ第１紙幣収納庫２２Ａ、第２紙幣収納庫２２Ｂ及び第３紙幣収納庫２２Ｃとも呼ぶ。
【００３２】
補充リジェクト庫としての下リジェクト庫２３は、下搬送部２１の下側且つ紙幣収納庫２２Ｃの後側に位置している。この下リジェクト庫２３は、内部の紙幣を収容する空間における前後方向の長さが、紙幣の短辺長よりも短くなっており、且つ底面の前側が後側よりも高くなるように傾斜している。このため下リジェクト庫２３は、紙幣の紙面を水平方向に対して傾斜させた状態で、上下方向に集積するようになっている。
【００３３】
補充回収庫２４は、下搬送部２１の下側における最も後側に位置しており、内部に収納空間を形成している。この補充回収庫２４は、紙幣収納庫２２と同様、下搬送部２１から引き渡される紙幣を内部に収納し、また内部に収納している紙幣を１枚ずつ繰り出して当該下搬送部２１に引き渡す。また補充回収庫２４は、紙幣収納庫２２とほぼ前後対称に構成されており、下搬送部２１から受け渡される際に前方を向けていた紙面を、収納空間内では上方に向ける。説明の都合上、以下では補充回収庫２４を第４紙幣収納庫２４とも呼ぶ。
【００３４】
さらに補充回収庫２４は、紙幣制御部１２の制御に基づき、補充回収モード及び紙幣収納モードといった２通りの動作モードを切り換えて動作するようになっている。このうち補充回収モードは、補充回収庫２４内に収納されている紙幣を順次繰り出し、下搬送部２１等により搬送して紙幣収納庫２２に収納させる補充動作、又は紙幣収納庫２２に収納されている紙幣を順次繰り出し、下搬送部２１等により搬送して補充回収庫２４に収納する回収動作を行う動作モードである。
【００３５】
また補充回収庫２４は、下リジェクト庫２３と一体化されることにより、図３（Ａ）及び（Ｂ）に示すような補充回収カセット２５を構成している。この補充回収カセット２５は、筐体１１における下搬送部２１よりも下側の部分を前側又は後側へ引き出すことにより、当該筐体１１から着脱し得るようになっている。
【００３６】
補充回収カセット２５は、蝶番２６により、補充回収庫２４の前右辺と下リジェクト庫２３の後右辺と繋いでおり、あたかも２枚貝のように、両者を自在に回動させ得るように接続している。下リジェクト庫２３の後面には、蝶番２６を介して下リジェクト内扉２７が回動可能に取り付けられている。補充リジェクト庫扉としての下リジェクト内扉２７は、図３（Ｃ）に示すように、蝶番２６を中心に回動することにより、下リジェクト庫２３の後面を開放又は閉塞できる。また補充回収庫２４の前面には、蝶番２６を介して補充回収内扉２８が回動可能に取り付けられている。補充回収庫扉としての補充回収内扉２８は、図３（Ｄ）に示すように、蝶番２６を中心に回動することにより、補充回収庫２４の前面を開放又は閉塞できる。
【００３７】
因みに補充回収カセット２５は、左側に錠２５Ｌが設けられており、この錠２５Ｌが所定の鍵により施錠されると、下リジェクト庫２３及び補充回収庫２４を閉塞した状態（図３（Ａ））に維持し、当該錠２５Ｌが解錠されると、両者を自在に回動させ得るようになる。さらに補充回収カセット２５は、錠２５Ｌが施錠された後、左側面に対し、錠２５Ｌを覆い且つ下リジェクト庫２３及び補充回収庫２４の左側面にまたがるようにして、左側面に封緘紙ＳＬが貼り付けられる。
【００３８】
［１−２．後搬送部及び下搬送部の構成］
後搬送部１５は、図４（Ａ）に示すように、中央よりも上寄りにドライブローラ３１を有している。ドライブローラ３１は、半径が比較的大きい円筒状に形成されており、左右方向に沿った中心軸３１Ｘを中心に回転する。このドライブローラ３１は、外周面のうち下端近傍を除いた範囲において、当該外周面に沿って紙幣の搬送路を形成している。すなわちドライブローラ３１は、紙幣の紙面を外周面に当接させたまま回転することにより、この紙幣を搬送路に沿って円弧状に搬送できる。
【００３９】
ドライブローラ３１の前側であって、入出金部１３における受取口１３Ｂ（図２）の後方となる位置には、入出金切替器３２が設けられている。入出金切替器３２は、ドライブローラ３１に沿った上側の搬送路、当該ドライブローラ３１に沿った下側の搬送路、及び前側の搬送路（すなわち入出金部１３内の搬送路）の間で、２つの搬送路の接続を３通りに切り替える、いわゆる３ウェイの切替器となっている。
【００４０】
またドライブローラ３１の後上側であって、一時保留部１７の前方となる位置には、一時保留切替器３３が設けられている。一時保留切替器３３は、ドライブローラ３１における上側及び後側の搬送路を接続し、或いは当該ドライブローラ３１における上側の搬送路と一時保留部１７へ向かう短い搬送路とを接続するよう、搬送路同士の接続を２通りに切り換える、いわゆる２ウェイの切替器となっている。
【００４１】
ドライブローラ３１の下側における後寄りであって、後リジェクト庫１８（図２）の前側となる位置には、後リジェクト切替器３４が設けられている。後リジェクト切替器３４は、入出金切替器３２と同様、３ウェイの切替器となっており、上側の搬送路、下側の搬送路及び後側の搬送路（すなわち後リジェクト庫１８内の搬送路）の間で、２つの搬送路の接続を３通りに切り替える。
【００４２】
後リジェクト切替器３４の下方であって、取忘収納庫１９（図２）の前側となる位置には、取忘切替器３５が設けられている。取忘切替器３５は、一時保留切替器３３と同様、２ウェイの切替器となっており、下側の搬送路及び上側の搬送路を接続し、或いは下側の搬送路と後側の搬送路（すなわち取忘収納庫１９と接続される短い搬送路）とを接続するよう、搬送路同士の接続を２通りに切り換える。
【００４３】
また後搬送部１５内には、ドライブローラ３１の周側面に沿った搬送路の他に、入出金切替器３２の下側から下方へ向かった後、前方へ屈曲して鑑別部受渡口３７と接続される搬送路や、ドライブローラ３１の後下側から下方へ向かい、後リジェクト切替器３４及び取忘切替器３５を経由して下搬送部受渡口３８と接続される搬送路等が形成されている。
【００４４】
説明の都合上、以下では、図４（Ｂ）に示すように、入出金切替器３２の下側と鑑別部受渡口３７とを結ぶ搬送路を後第１搬送路４１と呼び、ドライブローラ３１の上側において入出金切替器３２の上側と一時保留切替器３３の前側とを結ぶ搬送路を後第２搬送路４２と呼ぶ。また、一時保留切替器３３の下側と後リジェクト切替器３４の上側とを結ぶ搬送路を後第３搬送路４３と呼び、後リジェクト切替器３４の下側と下搬送部受渡口３８とを結ぶ搬送路を後第４搬送路４４と呼ぶ。さらに、一時保留切替器３３の後側と一時保留部１７とを結ぶ搬送路を後一時保留搬送路４５と呼ぶ。
【００４５】
下搬送部２１は、図５（Ａ）に示すように、その内部に前端近傍と後端近傍とを結ぶ前後方向に沿った搬送路が形成されており、この搬送路に沿って、前方から後方へ向けて、収納切替器５１Ａ、５１Ｂ及び５１Ｃ、下リジェクト切替器５２並びに補充回収切替器５３が設けられている。このうち収納切替器５１Ａ、５１Ｂ及び５１Ｃ並びに下リジェクト切替器５２は、何れも２ウェイの切替器であり、それぞれ紙幣収納庫２２Ａ、２２Ｂ及び２２Ｃ並びに下リジェクト庫２３の上側に配置されている。
【００４６】
収納切替器５１Ａは、前端近傍の上側に位置する前搬送部受渡口５６と紙幣収納庫２２Ａ側の搬送路とを接続し、或いは前搬送部受渡口５６をと後側の搬送路とを接続するよう、搬送路同士の接続を２通りに切り換える。また収納切替器５１Ｂ及び５１Ｃ並びに下リジェクト切替器５２は、それぞれ前側の搬送路と後側の搬送路とを接続し、或いは前側の搬送路と下側の搬送路とを接続するよう、搬送路同士の接続を２通りに切り換える。
【００４７】
補充回収切替器５３は、入出金切替器３２や後リジェクト切替器３４と同様、３ウェイの切替器となっており、前側の搬送路、後側の搬送路（すなわち補充回収受渡口５７と結ばれた搬送路）及び上側の搬送路（すなわち後搬送部１５内の後第４搬送路４４と連結された搬送路）の間で、２つの搬送路の接続を３通りに切り換える。
【００４８】
説明の都合上、以下では、前搬送部受渡口５６と補充回収切替器５３の前側とを結ぶ搬送路を下第１搬送路６１と呼び、補充回収受渡口５７と補充回収切替器５３の後側とを結ぶ搬送路を下第２搬送路６２と呼ぶ。すなわち補充回収切替器５３は、下第１搬送路６１、下第２搬送路６２及び後搬送部１５の第４搬送路４４が互いに接続された接続位置に配置されている、とみなすことができる。
【００４９】
因みに後搬送部１５及び下搬送部２１は、紙幣制御部１２（図２）の制御に基づき、各切替器をそれぞれ作動させて紙幣の進行方向を適宜切り換えることにより、当該紙幣の搬送経路を適切に設定することができる。
【００５０】
［１−３．紙幣の搬送］
次に、現金自動預払機１において入金取引や出金取引等の各種取引を行う場合におけるそれぞれの紙幣の搬送、並びに取忘紙幣の取込処理、紙幣の補充処理や回収処理等を行う場合における紙幣の搬送について、それぞれ説明する。このうち入金取引については、前半の入金計数処理及び後半の入金収納処理に分けて、それぞれ説明する。
【００５１】
［１−３−１．入金計数処理］
顧客が現金自動預払機１との間で入金取引を行う場合、紙幣入出金機１０の紙幣制御部１２は、まず前半の入金計数処理を行う。このとき紙幣制御部１２は、主制御部９等と連携しながら、操作表示部６を介して所定の操作入力を受け付けた後、入出金口５（図１）のシャッタを開いて入出金部１３内へ紙幣を投入させた後、図６に実線で示す矢印Ｗ１に沿って紙幣を進行させていく。
【００５２】
具体的に入出金部１３は、紙幣が投入されると、入出金口５（図１）のシャッタを閉じてから紙幣を１枚ずつに分離し、引渡口１３Ａから前搬送部１４に引き渡す。前搬送部１４は、紙幣を入出金部受取口１４Ａから鑑別部受渡口１４Ｂへ搬送し、鑑別部１６へ引き渡す。鑑別部１６は、紙幣を前受渡口１６Ｆから後受渡口１６Ｒへ搬送しながら鑑別し、得られた鑑別結果を紙幣制御部１２へ通知する。また鑑別部１６は、鑑別し終えた紙幣を後搬送部１５に引き渡す。
【００５３】
このとき紙幣制御部１２は、鑑別結果を基に、各紙幣が取扱可能であるか否かを判断し、各紙幣の搬送先を決定する。具体的に紙幣制御部１２は、取扱可能な紙幣を入金受入紙幣としてその搬送先を一時保留部１７に決定する一方、取扱不可能な紙幣を入金リジェクト紙幣としてその搬送先を入出金部１３に決定する。
【００５４】
後搬送部１５は、紙幣制御部１２の制御に基づき入出金切替器３２における紙幣の進行方向を切り替える。すなわち後搬送部１５は、入金受入紙幣については、鑑別部受渡口３７から後第１搬送路４１、後第２搬送路４２及び後一時保留搬送路４５に沿って一時保留部１７へ搬送し、当該一時保留部１７内に収納させる。
【００５５】
また後搬送部１５は、入金リジェクト紙幣については、後第１搬送路４１に沿って入出金切替器３２まで搬送した後、当該入出金切替器３２により前側へ進行させることにより、矢印Ｗ２として示すように、入出金部１３の受取口１３Ｂへ引き渡す。入出金部１３は、顧客から投入された紙幣を全て引渡口１３Ａから前搬送部１４へ引き渡した後、入出金口５（図１）のシャッタを開放して入金リジェクト紙幣を顧客に返却する。
【００５６】
紙幣制御部１２は、入出金部１３に投入された全ての紙幣を前搬送部１４へ引き渡し、鑑別部１６により鑑別し終えると、入金リジェクト紙幣があった場合には、入出金口５（図１）のシャッタを開放して顧客に返却した上で、入金受入紙幣の金種や枚数を集計することにより入金金額を算出する。続いて紙幣制御部１２は、主制御部９（図１）と連携することにより、操作表示部６（図１）に入金金額を表示させ、顧客に入金取引を継続するか否かを指示させる。
【００５７】
ここで顧客から入金取引の中止が指示された場合、紙幣制御部１２は、図７に示す矢印Ｗ３に沿って紙幣を搬送する。具体的に一時保留部１７は、収納している紙幣を１枚ずつに分離しながら後搬送部１５に引き渡していく。後搬送部１５は、紙幣を後一時保留搬送路４５及び後第２搬送路４２に沿って前方へ搬送し、入出金切替器３２により当該紙幣を前方へ進行させて入出金部１３の受取口１３Ｂに引き渡す。入出金部１３は、後搬送部１５から順次搬送されてくる紙幣を収容器（図示せず）の中に集積し、一時保留部１７から全ての紙幣が搬送されると、入出金口５（図１）のシャッタを開放して顧客に返却する。
【００５８】
［１−３−２．入金収納処理］
一方、顧客から入金取引の継続が指示された場合、紙幣制御部１２は、入金取引における後段の処理として入金収納処理を開始し、図８に示す矢印Ｗ４に沿って紙幣を進行させていく。
【００５９】
具体的に一時保留部１７は、収納している紙幣を１枚ずつに分離しながら後搬送部１５に引き渡していく。後搬送部１５は、紙幣を後一時保留搬送路４５、後第２搬送路４２及び後第１搬送路４１に沿って前方ないし下方へ搬送し、鑑別部受渡口３７から鑑別部１６へ引き渡す。鑑別部１６は、紙幣を後受渡口１６Ｒから前受渡口１６Ｆへ搬送しながら鑑別し、得られた鑑別結果を紙幣制御部１２へ通知する。また鑑別部１６は、鑑別し終えた紙幣を前搬送部１４に引き渡す。
【００６０】
このとき紙幣制御部１２は、損傷の程度等を基に、各紙幣が再利用可能であるか否か、及び再利用可能な紙幣についてはその金種をそれぞれ判断して、各紙幣の搬送先を決定する。具体的に紙幣制御部１２は、再利用可能な紙幣を再利用紙幣として、その搬送先を金種に応じた紙幣収納庫２２（２２Ａ〜２２Ｃ）に決定する一方、再利用不可能な紙幣をリジェクト紙幣として、その搬送先を後リジェクト庫１８に決定する。また紙幣制御部１２は、補充回収庫２４が紙幣収納モードであり、収納する紙幣の金種が設定されている場合には、紙幣の金種に応じて、当該補充回収庫２４も搬送先とする。
【００６１】
前搬送部１４は、紙幣を鑑別部受渡口１４Ｂから前搬送路１４ＢＣに沿って下搬送部受渡口１４Ｃへ搬送し、下搬送部２１に順次引き渡す。下搬送部２１は、紙幣が再利用紙幣であり、その搬送先が紙幣収納庫２２であれば、紙幣を前搬送部受渡口５６から下第１搬送路６１に沿って下方ないし後方へ搬送すると共に、各紙幣の搬送先に応じて各切替器を動作させ、その金種に応じた紙幣収納庫２２へ搬送して収納させる。
【００６２】
また下搬送部２１は、紙幣が再利用紙幣であり、その搬送先が補充回収庫２４であれば、紙幣を下第１搬送路６１に沿って補充回収切替器５３まで搬送し、当該補充回収切替器５３により紙幣を前側から後側へ進行させ、下第２搬送路６２に沿って補充回収受渡口５７へ搬送して補充回収庫２４に引き渡し、収納させる。
【００６３】
一方、紙幣制御部１２は、紙幣がリジェクト紙幣であった場合、矢印Ｗ４に沿って途中の補充回収切替器５３まで搬送した後、矢印Ｗ５に沿って進行させる。具体的に下搬送部２１は、前搬送部１４から受け取った紙幣を下第１搬送路６１に沿って補充回収切替器５３まで搬送した後、当該補充回収切替器５３により紙幣を前側から上側へ進行させて、後搬送部１５に引き渡す。後搬送部１５は、紙幣を下搬送部受渡口３８から後第４搬送路４４に沿って上方へ搬送した後、後リジェクト切替器３４により当該紙幣を下側から後側へ進行させ、後リジェクト庫１８に引き渡して収納させる。
【００６４】
［１−３−３．出金処理］
顧客が現金自動預払機１との間で出金取引を行う場合、紙幣入出金機１０の紙幣制御部１２は、出金処理を行う。このとき紙幣制御部１２は、主制御部９（図１）等と連携しながら操作表示部６を介して出金額の入力操作等を受け付けた後、図９に示す矢印Ｗ７に沿って紙幣を搬送していく。
【００６５】
具体的に紙幣収納庫２２（２２Ａ〜２２Ｃ）は、出金額に応じた金種及び枚数の紙幣を順次繰り出して下搬送部２１に引き渡す。下搬送部２１は、各切替器を適宜動作させることにより、受け取った紙幣を下第１搬送路６１に沿って前方ないし上方へ搬送して前搬送部受渡口５６に到達させ、前搬送部１４に引き渡す。
【００６６】
また補充回収庫２４は、紙幣収納モードであり、且つ収納されている紙幣を出金する場合には、紙幣を繰り出して下搬送部２１に引き渡す。下搬送部２１は、紙幣を補充回収受渡口５７から下第２搬送路６２に沿って前方へ搬送し、補充回収切替器５３により紙幣を後側から前側へ進行させ、さらに下第１搬送路６１に沿って前方ないし上方へ搬送して前搬送部受渡口５６に到達させ、前搬送部１４に引き渡す。
【００６７】
前搬送部１４は、下搬送部２１から受け取った紙幣を下搬送部受渡口１４Ｃから前搬送路１４ＢＣに沿って鑑別部受渡口１４Ｂへ搬送し、鑑別部１６に引き渡す。鑑別部１６は、紙幣を前受渡口１６Ｆから後受渡口１６Ｒへ搬送しながら鑑別し、得られた鑑別結果を紙幣制御部１２へ通知する。また鑑別部１６は、鑑別し終えた紙幣を後搬送部１５に引き渡す。
【００６８】
このとき紙幣制御部１２は、鑑別結果を基に、各紙幣が出金可能であるか否かを判断し、各紙幣の搬送先を決定する。具体的に紙幣制御部１２は、出金可能な紙幣の搬送先を入出金部１３に決定する一方、重送等により出金すべきで無い紙幣をリジェクト紙幣とし、その搬送先を後リジェクト庫１８に決定する。
【００６９】
後搬送部１５は、紙幣制御部１２の制御に基づき入出金切替器３２における紙幣の進行方向を切り替える。すなわち後搬送部１５は、出金可能な紙幣については、鑑別部受渡口３７から後第１搬送路４１に沿って上方へ搬送し、入出金切替器３２により下側から前側へ進行させ、入出金部１３の受取口１３Ｂへ引き渡す。
【００７０】
また紙幣制御部１２は、リジェクト紙幣については、矢印Ｗ６に沿って入出金切替器３２まで搬送した後、矢印Ｗ７に沿って搬送させる。具体的に後搬送部１５は、各切替器を適宜動作させた上で、紙幣を鑑別部受渡口３７から後第１搬送路４１、後第２搬送路４２及び後第３搬送路４３に沿って搬送した後、後リジェクト切替器３４により上側から後側へ進行させ、後リジェクト庫１８に引き渡して収納させる。
【００７１】
その後、紙幣制御部１２は、出金額の紙幣を入出金部１３へ搬送し終えると、入出金口５（図１）のシャッタを開放して紙幣を顧客に受け取らせる。
【００７２】
［１−３−４．取忘紙幣の取込処理］
ところで現金自動預払機１では、出金時に顧客が紙幣を取り忘れたまま立ち去ってしまう場合がある。このような場合、紙幣制御部１２は、顧客が取り忘れた取忘紙幣を他の紙幣と区別して保管するようになっている。
【００７３】
具体的に紙幣制御部１２は、出金処理において入出金口５（図１）のシャッタを開放してから所定の待機時間（例えば３０秒間）が経過した段階で、顧客に紙幣が取り出されなかったことを検出した場合、当該紙幣の取り忘れが発生したと判断する。このとき紙幣制御部１２は、入出金口５（図１）のシャッタを閉塞させた後、まず図１０に示す矢印Ｗ８に沿って、取忘紙幣を一時保留部１７へ搬送する。
【００７４】
具体的に入出金部１３は、入金計数処理（図６）の場合と同様、紙幣を１枚ずつに分離して下側の引渡口１３Ａから前搬送部１４に引き渡し、当該前搬送部１４及び鑑別部１６を介して後搬送部１５に引き渡す。後搬送部１５は、鑑別部受渡口３７から後第１搬送路４１、後第２搬送路４２及び後一時保留搬送路４５に沿って一時保留部１７へ搬送し、当該一時保留部１７内に収納させる。
【００７５】
次に紙幣制御部１２は、図１１に示す矢印Ｗ９に沿って、取忘紙幣を取忘収納庫１９へ搬送する。具体的に一時保留部１７は、入金収納処理（図８）の場合と同様、収納している紙幣を１枚ずつに分離しながら後搬送部１５に引き渡していく。後搬送部１５は、紙幣を後一時保留搬送路４５、後第２搬送路４２及び後第１搬送路４１に沿って前方ないし下方へ搬送し、鑑別部受渡口３７から鑑別部１６に引き渡す。鑑別部１６及び前搬送部１４は、それぞれ紙幣を前方ないし下方へ搬送して下搬送部２１に引き渡す。
【００７６】
下搬送部２１は、入金リジェクト紙幣の場合と同様、取忘紙幣を下第１搬送路６１に沿って後方へ搬送し、補充回収切替器５３により後側から上側へ進行させ、後搬送部１５に引き渡す。後搬送部１５は、紙幣を下搬送部受渡口３８から後第４搬送路４４に沿って途中まで搬送した後、取忘切替器３５により当該紙幣を下側から後側へ進行させ、取忘収納庫１９へ引き渡して収納させる。
【００７７】
［１−３−５．補充処理］
現金自動預払機１では、補充回収庫２４が補充回収モードに設定されており、紙幣収納庫２２における紙幣の収納枚数が少なくなった場合等に、図１２に示す矢印Ｗ１０に沿って紙幣を搬送することにより、補充回収庫２４に収納された紙幣を当該紙幣収納庫２２に補充する補充処理を行う。
【００７８】
このとき紙幣入出金機１０では、筐体１１から補充回収庫２４が一度取り外され、その内部に紙幣が装填された後、当該補充回収庫２４が再び筐体１１に装着される。続いて紙幣制御部１２は、保守作業者等から操作表示部６（図１）等を介して所定の補充指示を受け付けると、補充処理を開始する。
【００７９】
具体的に補充回収庫２４は、紙幣を１枚ずつ繰り出し、下搬送部２１に順次引き渡す。下搬送部２１は、紙幣を補充回収受渡口５７から下第２搬送路６２に沿って前方へ搬送し、補充回収切替器５３により紙幣を後側から上側へ進行させ、後搬送部１５に引き渡す。
【００８０】
後搬送部１５は、下搬送部受渡口３８から後第４搬送路４４に沿って上方へ搬送し、後リジェクト切替器３４により下側から上側へ進行させ、後第３搬送路４３及び後第２搬送路４２によりドライブローラ３１の周側面に沿って図の時計回りに進行させる。続いて後搬送部１５は、紙幣を入出金切替器３２により上側から下側へ進行させ、後第１搬送路４１に沿って下方及び前方へ進行させて、鑑別部受渡口３７から鑑別部１６に引き渡す。
【００８１】
鑑別部１６は、入金収納処理（図８）と同様、紙幣を後受渡口１６Ｒから前受渡口１６Ｆへ搬送しながら鑑別し、得られた鑑別結果を紙幣制御部１２へ通知する。また鑑別部１６は、鑑別し終えた紙幣を前搬送部１４に引き渡す。
【００８２】
このとき紙幣制御部１２は、紙幣の鑑別結果を基に、各紙幣が顧客への出金等に適した正常な紙幣であるか否か、及び正常な紙幣についてはその金種をそれぞれ判断して、各紙幣の搬送先を決定する。具体的に紙幣制御部１２は、正常な紙幣の搬送先を、それぞれの金種に応じた紙幣収納庫２２（２２Ａ〜２２Ｃ）に決定する一方、損傷等により出金等に適さない紙幣、すなわち正常で無い紙幣を補充リジェクト紙幣（以下これを補充リジェクト媒体とも呼ぶ）として、その搬送先を下リジェクト庫２３に決定する。
【００８３】
前搬送部１４は、紙幣を鑑別部受渡口１４Ｂから前搬送路１４ＢＣに沿って下搬送部受渡口１４Ｃへ搬送し、下搬送部２１に順次引き渡す。下搬送部２１は、紙幣が正常であれば、前搬送部受渡口５６から下第１搬送路６１に沿って下方ないし後方へ搬送すると共に、各紙幣の搬送先に応じて各収納切替器５１を動作させ、その金種に応じた紙幣収納庫２２へ搬送して収納させる。これにより、補充回収庫２４に収納されていた紙幣は、紙幣収納庫２２に補充される。
【００８４】
一方、紙幣制御部１２は、紙幣が補充リジェクト紙幣であった場合、矢印Ｗ１０に沿って収納切替器５１Ｃまで搬送した後、矢印Ｗ１１に沿って進行させる。具体的に下搬送部２１は、前搬送部１４から受け取った紙幣を下第１搬送路６１に沿って収納切替器５１Ｃまで搬送した後、当該収納切替器５１Ｃにより紙幣を前側から後側へ進行させる。続いて下搬送部２１は、紙幣を引き続き下第１搬送路６１に沿って後方へ進行させて補充リジェクト切替器としての下リジェクト切替器５２まで搬送し、当該下リジェクト切替器５２により当該紙幣を前側から下側へ進行させ、下リジェクト庫２３に引き渡して収納させる。
【００８５】
［１−３−６．回収処理］
現金自動預払機１では、補充回収庫２４が補充回収モードに設定されており、例えば１日の営業時間が終了した後等に、図１３に示す矢印Ｗ１２に沿って紙幣を搬送することにより、紙幣収納庫２２に収納された紙幣を補充回収庫２４に回収する回収処理を行う。
【００８６】
このとき紙幣入出金機１０では、補充回収庫２４に紙幣が収納されていない「空」の状態で、保守作業者等から操作表示部６（図１）等を介して、紙幣収納庫２２Ａ〜２２Ｃの何れかが指定された上で所定の回収指示を受け付けると、回収処理を開始する。因みに回収処理では、その前半部分において、出金処理（図９）と同様に紙幣を搬送する。
【００８７】
具体的に紙幣収納庫２２（２２Ａ〜２２Ｃ）は、回収すべき紙幣を順次繰り出して下搬送部２１に引き渡す。下搬送部２１は、各切替器を適宜動作させることにより、受け取った紙幣を下第１搬送路６１に沿って前方ないし上方へ搬送して前搬送部受渡口５６に到達させ、前搬送部１４に引き渡す。
【００８８】
前搬送部１４は、下搬送部２１から受け取った紙幣を下搬送部受渡口１４Ｃから前搬送路１４ＢＣに沿って鑑別部受渡口１４Ｂへ搬送し、鑑別部１６に引き渡す。鑑別部１６は、紙幣を前受渡口１６Ｆから後受渡口１６Ｒへ搬送しながら鑑別し、得られた鑑別結果を紙幣制御部１２へ通知する。また鑑別部１６は、鑑別し終えた紙幣を後搬送部１５に引き渡す。
【００８９】
このとき紙幣制御部１２は、鑑別結果を基に、各紙幣が再利用可能であるか否かを判断し、各紙幣の搬送先を決定する。具体的に紙幣制御部１２は、再利用可能な紙幣の搬送先を補充回収庫２４に決定する一方、再利用すべきで無い紙幣をリジェクト紙幣（以下これを回収リジェクト紙幣とも呼ぶ）とし、その搬送先を後リジェクト庫１８に決定する。
【００９０】
後搬送部１５は、紙幣制御部１２の制御に基づき後リジェクト切替器３４における紙幣の進行方向を切り替える。すなわち後搬送部１５は、再利用可能な紙幣については、鑑別部受渡口３７から後第１搬送路４１に沿って上方へ搬送し、入出金切替器３２により下側から上側へ進行させ、後第２搬送路４２及び後第３搬送路４３に沿って後リジェクト切替器３４まで搬送する。続いて後搬送部１５は、後リジェクト切替器３４により紙幣を上側から下側へ進行させ、後第４搬送路４４に沿って下方へ搬送して、下搬送部受渡口３８から再び下搬送部２１に引き渡す。
【００９１】
下搬送部２１は、紙幣を補充回収切替器５３により上側から後側へ進行させ、下第２搬送路６２に沿って補充回収受渡口５７へ搬送し、補充回収庫２４に引き渡して収納させる。これにより、紙幣収納庫２２に収納されていた紙幣は、補充回収庫２４に回収される。
【００９２】
また紙幣制御部１２は、リジェクト紙幣については、矢印Ｗ１２に沿って後リジェクト切替器３４まで搬送した後、矢印Ｗ１３に沿って搬送させる。具体的に後搬送部１５は、紙幣を鑑別部受渡口３７から後第１搬送路４１、後第２搬送路４２及び後第３搬送路４３に沿って搬送した後、後リジェクト切替器３４により上側から後側へ進行させ、後リジェクト庫１８に引き渡して収納させる。
【００９３】
［１−４．動作及び効果］
以上の構成において、第１の実施の形態による現金自動預払機１の紙幣入出金機１０は、下搬送部２１の補充回収切替器５３を３ウェイの切替器とし、前側、後側及び後側の間で、紙幣の搬送路同士の接続を３通りに切り換えるようにした。また紙幣入出金機１０は、後搬送部１５の後リジェクト切替器３４も３ウェイの切替器とし、上側、下側及び後側の間で、紙幣の搬送路同士の接続を３通りに切り換えるようにした。
【００９４】
ここで、紙幣入出金機１０内における紙幣の搬送に関する各部の構成を模式化すると、図１４のように表すことができる。この図１４では、３個の紙幣収納庫２２Ａ〜２２Ｃをまとめて１個の紙幣収納庫２２とし、また３個の収納切替器５１Ａ〜５１Ｃをまとめて１個の収納切替器５１として表している。
【００９５】
また、紙幣入出金機１０との比較用に、下リジェクト庫２３及び補充回収庫２４を有さない従来の紙幣入出金機１１０の構成を、同様の模式図として図１５に示す。従来の紙幣入出金機１１０は、補充回収庫２４に代えて紙幣収納庫１２２が設けられ、また３ウェイの切替器である補充回収切替器５３に代えて、２ウェイの切替器である切替器１５３が設けられ、さらに後リジェクト切替器３４に代えて、単に２本の搬送路が合流する合流点１３４が設けられている。
【００９６】
この紙幣入出金機１１０では、何れの処理においても、紙幣収納庫１２２に収納する紙幣は必ず鑑別部１６の前受渡口１６Ｆから繰り出され、また紙幣収納庫１２２から繰り出された紙幣は必ず前受渡口１６Ｆを経てから鑑別部１６を通過するようになっていた。このため、切替器１５３は後側と上側とを接続する必要が無く、２ウェイの切替器となっていた。また合流点１３４では、リジェクト紙幣の搬送経路により、上側と後側とを接続し、或いは下側と後側とを接続する必要があるものの、上側と下側とを接続する必要が無く、また後リジェクト庫１８から紙幣を繰り出す必要も無いため、切替器が設けられずに単なる合流点となっていた。
【００９７】
このような従来の紙幣入出金機１１０において、仮に紙幣収納庫１２２を単純に補充回収庫２４に置き換えた場合、紙幣収納庫２２と補充回収庫２４との間で鑑別部１６を経由しながら紙幣を搬送するには、搬送路や切替器の構造上、補充回収庫２４から紙幣収納庫２２へ直接紙幣を補充することができない。そのため、矢印Ｗ４（図８）に相当する搬送経路により一時保留部１７に一度収納する必要がある。この場合、補充回収庫２４から紙幣収納庫２２までの搬送経路において紙幣を往復させることになるため、搬送経路が長くなる。また一時保留部１７の収納可能枚数が紙幣収納庫２２及び補充回収庫２４よりも圧倒的に少なく、複数回に分ける必要があるため、長時間を要することになる。
【００９８】
これに対し、第１の実施の形態による紙幣入出金機１０（図１４）では、補充回収切替器５３を３ウェイの切替器としたことにより、当該補充回収切替器５３における後側と上側との間でも搬送路同士を接続して紙幣を進行させ得る。また紙幣入出金機１０では、後リジェクト切替器３４も３ウェイの切替器としたことにより、当該後リジェクト切替器３４の上側と下側との間でも搬送路同士を接続して紙幣を進行させ得る。
【００９９】
このため紙幣入出金機１０は、例えば補充処理（図１２）における矢印Ｗ１０のように、補充回収庫２４から繰り出した紙幣を補充回収切替器５３により上側へ進行させ、後搬送部１５を介して後受渡口１６Ｒ側から鑑別部１６に引き渡すことができる。続いて紙幣入出金機１０は、鑑別部１６において各紙幣を鑑別した上で、前受渡口１６Ｆ側から繰り出し、前搬送部１４の前搬送路１４ＢＣを介して下搬送部２１の前搬送部受渡口５６に受け渡すことができる。さらに紙幣入出金機１０は、下搬送部２１内で紙幣を下第１搬送路６１に沿って搬送し、紙幣収納庫２２へ搬送して収納させることができる。
【０１００】
すなわち紙幣入出金機１０は、補充処理において、鑑別部１６の後受渡口１６Ｒ側に補充回収庫２４を接続し、前受渡口１６Ｆ側に紙幣収納庫２２を接続した搬送経路を形成することで、紙幣を鑑別しながら搬送し、補充することができる。また紙幣入出金機１０は、回収処理（図１３）においても、補充処理（図１２）とほぼ反対の搬送経路に沿って、紙幣収納庫２２から紙幣を鑑別しながら補充回収庫２４へ搬送し、回収することができる。
【０１０１】
これを他の観点から見れば、紙幣入出金機１０では、図１４に示したように、鑑別部１６の前受渡口１６Ｆと補充回収切替器５３の前側とを結ぶ第１搬送路Ｒ１、後受渡口１６Ｒと補充回収切替器５３の上側とを結ぶ第２搬送路Ｒ２、及び補充回収庫２４と補充回収切替器５３とを結ぶ補充回収搬送路Ｒ３を形成している。その上で紙幣入出金機１０は、この第１搬送路Ｒ１、第２搬送路Ｒ２及び補充回収搬送路Ｒ３のうち２つの搬送路を、補充回収切替器５３により切り替えて接続する構成となっている。
【０１０２】
また他の観点から見れば、紙幣入出金機１０は、図１４に示したように、鑑別部１６の鑑別搬送路を含む環状の搬送路、すなわち前搬送路１４ＢＣ、下第１搬送路６１、後第４搬送路４４、後第３搬送路４３、後第２搬送路４２及び後第１搬送路４１と、鑑別部１６内の鑑別搬送路とを順次結んだ環状搬送路ＬＰを形成した。さらに紙幣入出金機１０は、この環状搬送路ＬＰ上に切替器を配置し、当該切替器に紙幣収納庫２２や補充回収庫２４等（以下、これらをそれぞれモジュールと呼ぶ）を直接、すなわち間に他の切替器を介在させること無く、接続した。
【０１０３】
このため紙幣入出金機１０では、一のモジュールから繰り出した紙幣を一の切替器により環状搬送路ＬＰ上に載せ、当該紙幣を当該環状搬送路ＬＰ上に沿って図の時計回り又は反時計回りに搬送し、当該紙幣を他の切替器により当該環状搬送路ＬＰから離脱させ、他のモジュールに到達させることができる。このとき紙幣入出金機１０は、必要に応じて、環状搬送路ＬＰ上で鑑別部１６を通過させることにより、紙幣を鑑別することもできる。
【０１０４】
ここで紙幣入出金機１０では、環状搬送路ＬＰに沿った搬送経路が１周未満である限り、形成される搬送経路が交差若しくは重複することが無いため、複数の紙幣の連続的な搬送、いわば紙幣の「流れ」を停止させる必要が無く、多数の紙幣を短時間で効率良く搬送できる。
【０１０５】
これを換言すれば、紙幣入出金機１０は、矢印Ｗ１０（図１２）及び矢印Ｗ１２（図１３）として示したように、補充回収庫２４及び紙幣収納庫２２の間で鑑別部１６を通る一筆書きの搬送経路、すなわち搬送路同士の交差や重複を生じない経路を形成することができる。これにより紙幣入出金機１０は、一時保留部１７等に紙幣を一時的に収納させる必要が無く、また紙幣を搬送経路に沿って往復させる必要も無く、多数の紙幣を連続的に搬送できるので、補充や回収に要する時間を極めて短く抑えることができる。
【０１０６】
これに加えて紙幣入出金機１０は、補充回収庫２４を補充回収モードの他に紙幣収納モードに切り替え得るようにし、また補充回収切替器５３により前側と後側との間で搬送路を接続し得るようにした。このため紙幣入出金機１０は、補充回収庫２４を紙幣収納モードに設定した場合、他の紙幣収納庫２２と同様に、入金され一時保留部１７に収納された紙幣を鑑別部１６の前受渡口１６Ｆ側から下第１搬送路６１等に沿って搬送して収納させることができる。また紙幣入出金機１０は、やはり他の紙幣収納庫２２と同様に、出金処理において補充回収庫２４から紙幣を繰り出させ、下第１搬送路６１等に沿って搬送して前受渡口１６Ｆ側から鑑別部１６に引き渡すこともできる。
【０１０７】
これらの場合、紙幣入出金機１０では、補充回収庫２４を補充回収モードで動作させる場合と比較して、下搬送部２１内の部品を交換して搬送経路を変更する、といった大がかりな回収作業を必要とせず、補充回収庫２４における動作モードを切り替えると共に補充回収切替器５３により搬送路の接続を切り替えるだけで良い。このため紙幣入出金機１０は、その構造を変更すること無く、補充回収庫２４を利用して補充処理及び回収処理を行う運用形態と、補充回収庫２４を紙幣収納庫として利用する運用形態との双方に、柔軟に且つ容易に対応することができる。
【０１０８】
すなわち紙幣入出金機１０では、紙幣収納庫２２を筐体１１から着脱して紙幣の補充や回収を行う運用形態である場合、すなわち補充回収庫２４による補充処理及び回収処理を行わない運用形態である場合、当該補充回収庫２４を紙幣収納庫２２と同様に使用でき、有効に活用できる。
【０１０９】
また紙幣入出金機１０は、例えば入金取引や出金取引が行われる場合に、補充回収庫２４を紙幣収納モードに設定して紙幣収納庫２２と同様に使用し、補充処理及び回収処理を行う場合に、当該補充回収庫２４を補充回収モードに切り換える等、動作モードを細かく切り替えることにより、当該補充回収庫２４の利用効率を格段に高めることもできる。
【０１１０】
さらに紙幣入出金機１０は、補充回収庫２４よりも前側に下リジェクト庫２３を設け、且つ補充回収切替器５３よりも前側に下リジェクト切替器５２を設け、当該下リジェクト切替器５２において前側及び下側の搬送路を接続した場合に、紙幣を下リジェクト庫２３へ搬送して収納させるようにした。このため紙幣入出金機１０では、補充処理（図１２）において鑑別部１６の通過時に補充リジェクト紙幣と判断された紙幣を、正常な紙幣と同様に下搬送部２１内で下第１搬送路６１に沿って搬送した後、収納切替器５１Ｃ及び下リジェクト切替器５２をそれぞれ適切に動作させるだけで、下リジェクト庫２３に直接収納させることができる。
【０１１１】
ところで後リジェクト庫１８には、入金収納処理（図８）、出金処理（図９）及び回収処理（図１３）において発生したリジェクト紙幣が搬送され、収納される。これらの紙幣は、少なくともこれより前の処理において１回は鑑別結果を基に正常な紙幣と判断されたものの、損傷の程度が大きい、或いは重送等により正常に鑑別できなかった等の理由により、リジェクト紙幣と判断されている。これを換言すれば、後リジェクト庫１８に収納されているリジェクト紙幣は、紙幣制御部１２により状態や金種等が把握されている紙幣である。
【０１１２】
一方、補充リジェクト紙幣は、筐体１１から補充回収庫２４が取り外されて紙幣が装填され、筐体１１に再び装着された補充回収庫２４から紙幣収納庫２２へ搬送される段階で、最初に鑑別部１６を通過した際に正常でないと判断された紙幣である。このため補充リジェクト紙幣は、紙幣制御部１２による状態や金種等の把握に関して、他の正常な紙幣と性質が異なるだけで無く、後リジェクト庫１８内のリジェクト紙幣とも性質が異なる。
【０１１３】
そこで紙幣入出金機１０では、後リジェクト庫１８とは別に下リジェクト庫２３を設け、補充リジェクト紙幣をこの下リジェクト庫２３に収納させることにより、紙幣制御部１２により状態や金種等が把握されていない補充リジェクト紙幣を、これらが把握された他の紙幣と区別して保管することができる。
【０１１４】
また紙幣入出金機１０では、下リジェクト切替器５２を、矢印Ｗ１０（図１２）における鑑別部１６よりも下流側に配置したため、補充リジェクト紙幣を他の箇所に一時的に収納させる必要が無く、下リジェクト庫２３へそのまま搬送して収納させることができる。さらに紙幣入出金機１０では、下リジェクト切替器５２を補充回収切替器５３よりも前側に配置し、矢印Ｗ１１を矢印Ｗ１０と交差若しくは重複させていないため、補充回収庫２４から紙幣を連続的に繰り出しながら、補充リジェクト紙幣を下リジェクト庫２３へ搬送して収納させることができる。
【０１１５】
そのうえ紙幣入出金機１０では、回収処理（図１３）において、鑑別部１６よりも下流側に後リジェクト切替器３４を配置するよう、矢印Ｗ１２に示したような搬送経路を設定した。このため紙幣入出金機１０では、回収処理中に鑑別部１６においてリジェクト紙幣が発生した場合、後リジェクト切替器３４による搬送路の切替動作を行わせるだけで、当該リジェクト紙幣を後リジェクト庫１８へ搬送して収納させることができ、このとき他の正常な紙幣の搬送を妨げることが無い。
【０１１６】
また紙幣入出金機１０では、補充回収庫２４及び下リジェクト庫２３を一体化して補充回収カセット２５とし、これを筐体１１に対し着脱可能とした。このため紙幣入出金機１０は、例えば金融機関に設置された従来の現金自動預払機において補充回収庫及びリジェクト庫が一体のカセットとして構成されており、このカセットによる運用形態が確立されている場合に、これを現金自動預払機１に置き換えたとしても、同様の運用形態を継続させることができる。
【０１１７】
さらに紙幣入出金機１０では、補充回収カセット２５自体を右側の蝶番２６により２枚貝のように開閉可能として、下リジェクト内扉２７及び補充回収内扉２８の少なくとも一方を開放する場合に、下リジェクト庫２３及び補充回収庫２４の左側面を必ず互いに引き離すようにした（図３）。これにより補充回収カセット２５は、下リジェクト庫２３及び補充回収庫２４を閉じた状態（図３（Ａ））で、左側面において両者にまたがるように１枚の封緘紙ＳＬを貼り付けるだけで、この封緘紙ＳＬが破られない限り、下リジェクト内扉２７及び補充回収内扉２８が一度も開放されておらず、収納された紙幣が抜き取られていないことを証明できる。そのうえ補充回収カセット２５は、錠２５Ｌを覆うように封緘紙ＳＬが貼り付けられることで、当該封緘紙ＳＬが破られない限り、錠２５Ｌに対する不正な操作が行われていないことも証明できる。
【０１１８】
そのうえ紙幣入出金機１０では、下リジェクト庫２３内において水平方向に対し紙面を傾斜させた姿勢で収納するようにした（図２）。このため紙幣入出金機１０は、下リジェクト庫２３を設けない構成の場合と比較して、筐体１１における前後長の増加幅を最小限に抑えることができる。
【０１１９】
また紙幣入出金機１０では、補充回収庫２４を紙幣収納庫２２とほぼ前後対称に構成し、下搬送部２１との間で受け渡す紙面の前後と収納空間内での紙面の上下との関係を、互いに反対となるようにした（図２）。このため紙幣入出金機１０は、補充処理（図１２）において、補充回収庫２４に収納された紙幣の紙面の上下を変更すること無く、紙幣収納庫２２に収納することができる。これにより紙幣入出金機１０では、紙幣収納庫２２に収納されている紙幣における紙面の向きに合わせて、補充回収庫２４に装填する紙幣における紙面の向きを揃えておくことで、紙幣収納庫２２において新たに補充される紙幣の紙面を補充前から収納されている紙幣の紙面と揃えることができる。
【０１２０】
さらに紙幣入出金機１０では、後搬送部１５における搬送路の一部をドライブローラ３１の外周に沿って形成し、当該ドライブローラ３１の外周面に紙幣を当接させて回転させることにより、当該紙幣を搬送するようにした。これにより紙幣入出金機１０では、搬送路の両側に半径の小さなローラを対として配置するローラ対をこの搬送路に沿って複数配置する場合と比較して、部品点数を大幅に削減でき、構成を簡素化できる。
【０１２１】
以上の構成によれば、第１の実施の形態による現金自動預払機１の紙幣入出金機１０は、下搬送部２１の補充回収切替器５３及び後搬送部１５の後リジェクト切替器３４を３ウェイの切替器とした。これにより紙幣入出金機１０は、補充回収庫２４を補充回収モードで使用する場合、及び紙幣収納モードで使用する場合の何れにおいても、紙幣の搬送元から鑑別部１６を経て紙幣の搬送先に到達するまで、交差や重複を生じない一筆書きの搬送経路を形成し、紙幣を連続的に短時間で搬送できる。この結果、紙幣入出金機１０は、補充回収庫２４の動作モードや紙幣の搬送経路を適切に切り替えることにより、当該補充回収庫２４を効率良く活用できる。
【０１２２】
［２．第２の実施の形態］
第２の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。
【０１２３】
図２と対応する図１６に示すように、紙幣入出金機２１０は、第１の実施の形態による紙幣入出金機１０と比較して、筐体１１、紙幣制御部１２、後搬送部１５及び下搬送部２１に代わる筐体２１１、紙幣制御部２１２、後搬送部２１５及び下搬送部２２１を有する点において相違するものの、他の点については同様に構成されている。
【０１２４】
紙幣制御部２１２は、第１の実施の形態による紙幣制御部１２と同様、図示しないＣＰＵを中心に構成されており、図示しないＲＯＭやフラッシュメモリ等から所定のプログラムを読み出して実行することにより、全体を統括制御する他、種々の処理を行う。また紙幣制御部２１２は、内部にＲＡＭ及びフラッシュメモリ等でなる記憶部を有しており、この記憶部に種々の情報を記憶させる。
【０１２５】
筐体２１１は、大きく分けて、上側部分を占める上部筐体２１１Ｕと下側部分を占める下部筐体２１１Ｌとにより構成されている。すなわち上部筐体２１１Ｕには、紙幣制御部１２、入出金部１３、前搬送部１４、後搬送部２１５、鑑別部１６、一時保留部１７、後リジェクト庫１８及び取忘収納庫１９が設けられている。また下部筐体２１１Ｌには、下搬送部２２１、紙幣収納庫２２（２２Ａ、２２Ｂ及び２２Ｃ）、下リジェクト庫２３並びに補充回収庫２４（すなわち補充回収カセット２５）が設けられている。
【０１２６】
上部筐体２１１Ｕ及び下部筐体２１１Ｌは、筐体２（図１）に対しそれぞれ図示しないスライドレールを介して取り付けられており、互いに独立して該筐体２の後方向へ引き出し得るようになっている。
【０１２７】
［２−１．下部筐体の構成］
このうち下部筐体２１１Ｌは、図１７（Ａ）及び（Ｂ）に示すように、大きく分けて、主フレーム２７１と、その後側に配置された後フレーム２７２と、該主フレーム２７１及び該後フレーム２７２の上側に配置された搬送フレーム２７３とにより構成されている。
【０１２８】
主フレーム２７１は、前後方向に十分な長さを有する中空の直方体状に形成されており、上面が開放されると共にその内部が前後方向に沿って複数に仕切られることにより、複数のスロットが形成されている。これらのスロットには、紙幣収納庫２２Ａ〜２２Ｃがそれぞれ装填される。
【０１２９】
後フレーム２７２は、前後方向に比較的短い中空の直方体状に構成されており、上面が開放されることにより１個のスロットを形成している。このスロットには、補充回収カセット２５（図３）が装填される。
【０１３０】
搬送フレーム２７３は、前後方向に長く上下方向に短い直方体状に構成されており、その内部に下搬送部２２１（詳しくは後述する）が組み込まれている。この搬送フレーム２７３は、主フレーム２７１に対し、右側に設けられた蝶番２７４を介して回動可能に取り付けられている。このため搬送フレーム２７３は、主フレーム２７１に対し回動されることにより、該主フレーム２７１及び後フレーム２７２の各スロットを開放又は閉塞することができる。
【０１３１】
かかる構成に加えて、後フレーム２７２は、主フレーム２７１に対しを介して取り付けられている。このスライドレール２７５は、前後方向に沿ってスライドし得るように構成されており、主フレーム２７１に対し後フレーム２７２を前方向又は後方向へ移動させることができる。
【０１３２】
すなわち後フレーム２７２は、前方向へ移動された場合には、図１７（Ａ）及び（Ｂ）に示したように、その前面を主フレーム２７１に近接させると共にその後面を搬送フレーム２７３の後面とほぼ揃えた後フレーム収納状態となる。一方、後フレーム２７２は、後方向へ移動された場合には、図１７（Ｃ）に示すように、その前面を主フレーム２７１から引き離して搬送フレーム２７３の後面よりも後側に位置させた後フレーム引出状態となる。
【０１３３】
このため下部筐体２１１Ｌでは、現金自動預払機１（図１）における筐体２の後扉（図示せず）が開放されていれば、該下部筐体２１１Ｌが該筐体２の内部に収納された状態であっても、後フレーム２７２を後フレーム引出状態（図１７（Ｃ））とすることにより、補充回収カセット２５を着脱することができる。
【０１３４】
換言すれば、下部筐体２１１Ｌでは、後フレーム２７２が後フレーム引出状態となった段階で、補充回収庫２４を下第２搬送路６２から切り離すと共に下リジェクト庫２３を下第１搬送路６１から切り離すことができる。また下部筐体２１１Ｌでは、補充回収カセット２５が後フレーム２７２に装着された上で後フレーム収納状態とされた場合、補充回収庫２４を下第２搬送路６２に接続させると共に下リジェクト庫２３を下第１搬送路６１に接続させることができる。これらの場合、下部筐体２１１Ｌでは、主フレーム２７１に装填された紙幣収納庫２２を下搬送部２２１とそれぞれ接続させた状態を維持したまま、補充回収庫２４及び下リジェクト庫２３を各搬送路と切り離し又は接続することができる。
【０１３５】
［２−２．後搬送部及び下搬送部の構成］
図４と対応する図１８に示すように、後搬送部２１５は、第１の実施の形態による後搬送部１５と比較して、取忘切替器３５に代わる取忘切替器２３５を有する点において相違するものの、他の点については同様に構成されている。
【０１３６】
取忘切替器２３５は、第１の実施の形態による取忘切替器３５と同様に２ウェイの切替器となっているものの、該取忘切替器３５と概ね上下反対に設置されている。すなわち取忘切替器２３５は、上側の搬送路及び下側の搬送路を接続し、或いは上側の搬送路及び後側の搬送路（すなわち取忘収納庫１９と接続される短い搬送路）を接続するよう、搬送路同士の接続を２通りに切り換えることができる。
【０１３７】
このため後搬送部２１５では、紙幣を取忘収納庫１９へ搬送して収納する場合、該紙幣を後第４搬送路４４の上側から下方へ向けて搬送し、取忘切替器２３５において後方へ進行させることになる。
【０１３８】
図５と対応する図１９に示すように、下搬送部２２１は、第１の実施の形態による下搬送部２１と比較して、補充回収切替器５３に代わる補充回収切替器２５３を有する点において相違するものの、他の点については同様に構成されている。
【０１３９】
補充回収切替器２５３は、第１の実施の形態による補充回収切替器５３と異なり、収納切替器５１Ａ、５１Ｂ及び５１Ｃ並びに下リジェクト切替器５２と同様の、いわゆる２ウェイの切替器となっている。具体的に補充回収切替器２５３は、後側の搬送路及び前側の搬送路を接続し、或いは後側の搬送路及び上側の搬送路を接続するよう、搬送路同士の接続を２通りに切り替えることができる。換言すれば、補充回収切替器２５３は、補充回収切替器５３と比較して、切替可能な搬送方向が制限されており、前側の搬送路及び上側の搬送路を接続することはできない。
【０１４０】
［２−３．紙幣の搬送］
次に、現金自動預払機２０１における紙幣の搬送について説明する。現金自動預払機２０１では、第１の実施の形態による現金自動預払機１の場合と比較して、入金収納処理（図８）並びに取忘紙幣の取込処理（図１０及び図１１）における紙幣の搬送経路が相違するものの、他の処理については同様の搬送経路により紙幣を搬送するようになっている。
【０１４１】
現金自動預払機２０１の紙幣入出金機２１０は、入金収納処理を行う場合、図８と対応する図２０に示すように、第１の実施の形態と同様の矢印Ｗ４に沿って紙幣を進行させる。このとき紙幣入出金機２１０は、鑑別部１６において紙幣を鑑別させ、得られた鑑別結果を紙幣制御部２１２へ通知する。
【０１４２】
紙幣制御部２１２は、第１の実施の形態と同様、損傷の程度等を基に、各紙幣の搬送先を決定する。具体的に紙幣制御部２１２は、再利用可能な紙幣（再利用紙幣）の搬送先を、第１の実施の形態と同様に金種に応じた紙幣収納庫２２（２２Ａ〜２２Ｃ）に決定する。その一方で紙幣制御部２１２は、再利用不可能な紙幣（リジェクト紙幣）の搬送先を、第１の実施の形態と異なり、下リジェクト庫２３に決定する。
【０１４３】
続いて紙幣制御部２１２は、紙幣が再利用紙幣である場合、第１の実施の形態と同様に、下搬送部２１等により紙幣をその金種に応じた紙幣収納庫２２へ搬送して収納させる。
一方、紙幣制御部２１２は、紙幣がリジェクト紙幣であった場合、矢印Ｗ４に沿って途中の下リジェクト切替器５２まで搬送した後、矢印Ｗ２１に沿って下側へ進行させ、下リジェクト庫２３に引き渡して収納させる。
【０１４４】
また紙幣入出金機２１０は、取忘紙幣の取込処理を行う場合、図１０及び図１１と対応する図２１に示すように、矢印Ｗ２２に沿って取忘収納庫１９へ搬送して収納させる。具体的に紙幣制御部２１２は、出金処理において紙幣の取り忘れが発生したと判断した場合、入出金部１３により、紙幣を１枚ずつに分離して下側の引渡口１３Ａから前搬送部１４に引き渡させ、当該前搬送部１４及び鑑別部１６を介して後搬送部２１５に引き渡させる。後搬送部２１５は、鑑別部受渡口３７から後第１搬送路４１、後第２搬送路４２、後第３搬送路４３及び後第４搬送路４４に沿って搬送し、該後第４搬送路４４の途中に設けられた取忘切替器２３５により当該紙幣を上側から後側へ進行させ、取忘収納庫１９へ引き渡して収納させる。
【０１４５】
このように紙幣入出金機２１０は、第１の実施の形態とは異なり、一時保留部１７を利用すること無く、紙幣を入出金部１３から取忘収納庫１９へ直接搬送するようになっている。
【０１４６】
［２−４．動作及び効果］
以上の構成において、第２の実施の形態による現金自動預払機２０１の紙幣入出金機２１０は、下搬送部２２１の補充回収切替器２５３を２ウェイの切替器とし、後側及び前側の間を接続し、又は後側及び上側の間を接続するよう、紙幣の搬送路同士の接続を２通りに切り換えるようにした。また紙幣入出金機２１０は、後搬送部２１５において、第１の実施の形態と同様の後リジェクト切替器３４を設ける一方、第１の実施の形態における取忘切替器３５と上下反対の構成となる取忘切替器２３５を設けた。
【０１４７】
ここで、紙幣入出金機２１０内における紙幣の搬送に関する各部の構成を模式化すると、図１４と対応する図２２のように表すことができる。すなわち紙幣入出金機２１０では、補充回収切替器２５３を２ウェイの切替器としたものの、第１の実施の形態における補充回収切替器５３と同様、後側と上側との間で搬送路同士を接続して紙幣を進行させ得る。また紙幣入出金機２１０では、第１の実施の形態と同様、後リジェクト切替器３４の上側と下側との間でも搬送路同士を接続して紙幣を進行させ得る。
【０１４８】
このため紙幣入出金機２１０は、第１の実施の形態と同様、例えば補充処理（図１２）における矢印Ｗ１０のように、補充回収庫２４から繰り出した紙幣を補充回収切替器２５３により上側へ進行させ、後搬送部２１５を介して後受渡口１６Ｒ側から鑑別部１６に引き渡すことができる。続いて紙幣入出金機２１０は、鑑別部１６において各紙幣を鑑別した上で、前受渡口１６Ｆ側から繰り出し、前搬送部１４の前搬送路１４ＢＣを介して下搬送部２２１の前搬送部受渡口５６に受け渡すことができる。さらに紙幣入出金機２１０は、下搬送部２１内で紙幣を下第１搬送路６１に沿って搬送し、紙幣収納庫２２へ搬送して収納させることができる。
【０１４９】
すなわち紙幣入出金機２１０は、第１の実施の形態と同様、補充処理において、鑑別部１６の後受渡口１６Ｒ側に補充回収庫２４を接続し、前受渡口１６Ｆ側に紙幣収納庫２２を接続した搬送経路を形成することで、紙幣を鑑別しながら搬送し、補充することができる。また紙幣入出金機２１０は、回収処理（図１３）においても、補充処理（図１２）とほぼ反対の搬送経路に沿って、紙幣収納庫２２から紙幣を鑑別しながら補充回収庫２４へ搬送し、回収することができる。
【０１５０】
これを他の観点から見れば、紙幣入出金機２１０（図２２）では、第１の実施の形態と同様、鑑別部１６の前受渡口１６Ｆと補充回収切替器２５３の前側とを結ぶ第１搬送路Ｒ１、後受渡口１６Ｒと補充回収切替器２５３の上側とを結ぶ第２搬送路Ｒ２、及び補充回収庫２４と補充回収切替器２５３とを結ぶ補充回収搬送路Ｒ３を形成している。その上で紙幣入出金機２１０は、補充回収切替器２５３において、補充回収搬送路Ｒ３及び第１搬送路Ｒ１を接続するか、或いは補充回収搬送路Ｒ３及び第２搬送路Ｒ２を接続するかを切り替える構成となっている。
【０１５１】
また他の観点から見れば、紙幣入出金機２１０では、第１の実施の形態と同様、鑑別部１６の鑑別搬送路を含む環状の搬送路である環状搬送路ＬＰを形成し、この環状搬送路ＬＰ上に複数の切替器を配置し、当該切替器に紙幣収納庫２２や補充回収庫２４等のモジュールを直接接続した。ただし紙幣入出金機２１０では、第１の実施の形態と異なり、下第１搬送路６１及び後第４搬送路４４の間で紙幣を搬送することはできない。
【０１５２】
このため紙幣入出金機２１０では、環状搬送路ＬＰに沿って補充回収切替器２５３を通過するような搬送経路を除き、第１の実施の形態と同様に、該環状搬送路ＬＰを利用して２個のモジュールの間で紙幣を搬送することができる。具体的に紙幣入出金機２１０では、一のモジュールから繰り出した紙幣を一の切替器により環状搬送路ＬＰ上に載せ、当該紙幣を当該環状搬送路ＬＰ上に沿って補充回収切替器２５３を通過させること無く図の時計回り又は反時計回りに搬送し、当該紙幣を他の切替器により当該環状搬送路ＬＰから離脱させ、他のモジュールに到達させることができる。
【０１５３】
例えば第１の実施の形態による紙幣入出金機１０では、入金収納処理（図８）において、リジェクト紙幣を補充回収切替器５３により下第１搬送路６１から後第４搬送路４４へ進行させ、後リジェクト庫１８へ搬送して収納させていた。これに対し第２の実施の形態による紙幣入出金機２１０では、図２０に示したように、リジェクト紙幣を下第１搬送路６１において下リジェクト切替器５２により下方向へ搬送して下リジェクト庫２３に収納させるようにした。すなわち紙幣入出金機２１０では、補充回収切替器２５３における切替可能な搬送方向が制限されていることに応じて、リジェクト紙幣の搬送先及び搬送経路を変更したことにより、第１の実施の形態と同様、該リジェクト紙幣を再利用紙幣と区別した状態で収納することができる。
【０１５４】
その他の点においても、第２の実施の形態による紙幣入出金機２１０は、第１の実施の形態による紙幣入出金機１０と同様の作用効果を奏し得る。
【０１５５】
以上の構成によれば、第２の実施の形態による現金自動預払機２０１の紙幣入出金機２１０は、後搬送部２１５の後リジェクト切替器３４を第１の実施の形態と同様の３ウェイとする一方、下搬送部２２１の補充回収切替器２５３を２ウェイとした。これにより紙幣入出金機２１０は、補充回収庫２４を補充回収モードで使用する場合、及び紙幣収納モードで使用する場合の何れにおいても、紙幣の搬送元から鑑別部１６を経て紙幣の搬送先に到達するまで、交差や重複を生じない一筆書きの搬送経路を形成し、紙幣を連続的に短時間で搬送できる。この結果、紙幣入出金機２１０は、第１の実施の形態と同様、補充回収庫２４の動作モードや紙幣の搬送経路を適切に切り替えることにより、当該補充回収庫２４を効率良く活用できる。
【０１５６】
［３．第３の実施の形態］
第３の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。
【０１５７】
図２と対応する図２３に示すように、紙幣入出金機３１０は、第１の実施の形態による紙幣入出金機１０と比較して、紙幣制御部１２及び下搬送部２１に代わる紙幣制御部３１２及び下搬送部３２１を有する点において相違するものの、他の点については同様に構成されている。
【０１５８】
紙幣制御部３１２は、第１の実施の形態による紙幣制御部１２と同様、図示しないＣＰＵを中心に構成されており、図示しないＲＯＭやフラッシュメモリ等から所定のプログラムを読み出して実行することにより、全体を統括制御する他、種々の処理を行う。また紙幣制御部３１２は、内部にＲＡＭ及びフラッシュメモリ等でなる記憶部を有しており、この記憶部に種々の情報を記憶させる。
【０１５９】
図５と対応する図２４に示すように、下搬送部３２１は、第１の実施の形態による下搬送部２１と比較して、収納切替器５１Ｂ及び５１Ｃに代わる収納切替器３５１Ｂ及び３５１Ｃを有する点において相違するものの、他の点については同様に構成されている。
【０１６０】
収納切替器３５１Ｂ及び３５１Ｃは、何れも補充回収切替器５３と同様の、いわゆる３ウェイの切替器となっている。具体的に収納切替器３５１Ｂ及び３５１Ｃは、それぞれ前側の搬送路、後側の搬送路及び下側の搬送路（すなわち紙幣収納庫２２Ｂ又は２２Ｃと連結された搬送路）の間で、２つの搬送路の接続を３通りに切り換える。
【０１６１】
［３−１．紙幣の搬送］
次に、現金自動預払機３０１における紙幣の搬送について説明する。現金自動預払機３０１の紙幣入出金機３１０では、第１紙幣収納庫２２Ａ、第２紙幣収納庫２２Ｂ、第３紙幣収納庫２２Ｃ及び第４紙幣収納庫２４（すなわち補充回収庫２４）のうち２個の紙幣収納庫の間で、鑑別部１６を経由する搬送経路を形成し、双方向に紙幣を搬送し得るようになっている。以下では、それぞれの搬送経路について説明する。
【０１６２】
［３−１−１．第１紙幣収納庫からの紙幣の搬送］
紙幣入出金機３１０は、第１紙幣収納庫２２Ａから第２紙幣収納庫２２Ｂへ紙幣を搬送する場合、図２５（Ａ）に示す矢印Ｗ３１に沿って紙幣を進行させる。すなわち、搬送元である第１紙幣収納庫２２Ａは、収納している紙幣を順次繰り出して下搬送部３２１に引き渡す。下搬送部３２１は、収納切替器５１Ａにより紙幣を下側から上側へ搬送して前搬送部受渡口５６に到達させ、前搬送部１４に引き渡す。
【０１６３】
その後、紙幣入出金機３１０は、回収処理（図１３）を行う場合における矢印Ｗ１２と同様の搬送経路に沿って、鑑別部１６を介して紙幣を進行させ、下搬送部受渡口３８から再び下搬送部３２１に引き渡す。下搬送部３２１は、紙幣を補充回収切替器５３により上側から前側へ進行させ、下第１搬送路６１に沿って前方へ搬送し、下リジェクト切替器５２及び収納切替器３５１Ｃにおいて前方へ進行させた後、収納切替器３５１Ｂにおいて下側へ進行させ、第２紙幣収納庫２２Ｂに引き渡して収納させる。かくして紙幣入出金機３１０は、紙幣を第１紙幣収納庫２２Ａから第２紙幣収納庫２２Ｂへ搬送することができる。
【０１６４】
因みに紙幣入出金機３１０は、リジェクト紙幣が発生した場合、回収処理（図１３）において発生したリジェクト紙幣と同様、該リジェクト紙幣を矢印Ｗ１３に沿って進行させ、後リジェクト庫１８に引き渡して収納させる。
【０１６５】
また紙幣入出金機３１０は、第１紙幣収納庫２２Ａから第３紙幣収納庫２２Ｃへ紙幣を搬送する場合、図２５（Ｂ）に示す矢印Ｗ３２に沿って紙幣を進行させる。このとき紙幣入出金機３１０は、第２紙幣収納庫２２Ｂへ搬送する場合（図２５（Ａ））と同様に、鑑別部１６を通過する搬送経路により紙幣を収納切替器３５１Ｃまで搬送すると、該収納切替器３５１Ｃにより該紙幣を下側へ搬送させ、第３紙幣収納庫２２Ｃに引き渡して収納させる。かくして紙幣入出金機３１０は、紙幣を第１紙幣収納庫２２Ａから第３紙幣収納庫２２Ｃへ搬送することができる。
【０１６６】
因みに紙幣入出金機３１０は、リジェクト紙幣が発生した場合、第２紙幣収納庫２２Ｂへ搬送する場合と同様に、該リジェクト紙幣を矢印Ｗ１３に沿って進行させ、後リジェクト庫１８に引き渡して収納させる。
【０１６７】
さらに紙幣入出金機３１０は、第１紙幣収納庫２２Ａから第４紙幣収納庫２４へ紙幣を搬送する場合、図２５（Ｃ）に示す矢印Ｗ３３に沿って紙幣を進行させる。このとき紙幣入出金機３１０は、第２紙幣収納庫２２Ｂへ搬送する場合（図２５（Ａ））と同様に、鑑別部１６を通過する搬送経路により紙幣を補充回収切替器５３まで搬送すると、該補充回収切替器５３により該紙幣を後側へ搬送させ、下第２搬送路６２に沿って補充回収受渡口５７へ搬送し、第４紙幣収納庫２４に引き渡して収納させる。かくして紙幣入出金機３１０は、紙幣を第１紙幣収納庫２２Ａから第４紙幣収納庫２４へ搬送することができる。
【０１６８】
因みに紙幣入出金機３１０は、リジェクト紙幣が発生した場合、やはり第２紙幣収納庫２２Ｂへ搬送する場合と同様に、該リジェクト紙幣を矢印Ｗ１３に沿って進行させ、後リジェクト庫１８に引き渡して収納させる。
【０１６９】
このように紙幣入出金機３１０は、第１紙幣収納庫２２Ａを搬送元とした場合、鑑別部１６を通過する搬送経路を通って鑑別処理を行いながら紙幣を搬送し、搬送先である第２紙幣収納庫２２Ｂ、第３紙幣収納庫２２Ｃ若しくは第４紙幣収納庫２４の何れか、又は後リジェクト庫１８に到達させて、収納することができる。
【０１７０】
［３−１−２．第２紙幣収納庫からの紙幣の搬送］
紙幣入出金機３１０は、第２紙幣収納庫２２Ｂから第１紙幣収納庫２２Ａへ紙幣を搬送する場合、図２６（Ａ）に示す矢印Ｗ３５に沿って紙幣を進行させる。この矢印Ｗ３５は、第１紙幣収納庫２２Ａから第２紙幣収納庫２２Ｂへ紙幣を搬送する場合の矢印Ｗ３１（図２５（Ａ））と同一の搬送経路を反対方向に進むものとなっている。
【０１７１】
すなわち、搬送元である第２紙幣収納庫２２Ｂは、収納している紙幣を順次繰り出して下搬送部３２１に引き渡す。下搬送部３２１は、収納切替器３５１Ｂにより紙幣を下側から後側へ進行させ、この紙幣を下第１搬送路６１に沿って後方へ進行させ、収納切替器３５１Ｃを経由して補充回収切替器５３において上側へ進行させて、後搬送部１５に引き渡す。
【０１７２】
その後、紙幣入出金機３１０は、補充処理（図１２）を行う場合における矢印Ｗ１０と同様の搬送経路に沿って、鑑別部１６を介して紙幣を進行させ、再び下搬送部３２１に引き渡す。下搬送部３２１は、収納切替器５１Ａにより紙幣を上側から下側へ搬送し、搬送先である第１紙幣収納庫２２Ａに引き渡して収納させる。かくして紙幣入出金機３１０は、紙幣を第２紙幣収納庫２２Ｂから第１紙幣収納庫２２Ａへ搬送することができる。
【０１７３】
因みに紙幣入出金機３１０は、リジェクト紙幣が発生した場合、搬送元である第２紙幣収納庫２２Ｂからの紙幣の繰出を一時的に停止させた上で、該リジェクト紙幣を矢印Ｗ３６に沿って搬送し、後リジェクト庫１８に引き渡して収納させる。このとき紙幣入出金機３１０は、入金収納処理（図８）において入金リジェクト紙幣を矢印Ｗ４及びＷ５に沿って搬送する場合と同様の搬送経路に沿って、リジェクト紙幣を搬送する。
【０１７４】
また紙幣入出金機３１０は、第２紙幣収納庫２２Ｂから第３紙幣収納庫２２Ｃへ紙幣を搬送する場合、図２６（Ｂ）に示す矢印Ｗ３７に沿って紙幣を進行させる。このとき紙幣入出金機３１０の下搬送部３２１は、第２紙幣収納庫２２Ｂから繰り出された紙幣を収納切替器３５１Ｂにおいて下側から前側へ進行させ、下第１搬送路６１に沿って前方へ進行させ、収納切替器５１Ａにより後側から上側へ進行させて前搬送部受渡口５６に到達させ、前搬送部１４に引き渡す。
【０１７５】
その後、紙幣入出金機３１０は、第１紙幣収納庫２２Ａから第３紙幣収納庫２２Ｃへ搬送する場合（図２５（Ｂ））と同様に、鑑別部１６を通る搬送経路に沿って紙幣を第３紙幣収納庫２２Ｃへ搬送し、収納させる。かくして紙幣入出金機３１０は、紙幣を第２紙幣収納庫２２Ｂから第３紙幣収納庫２２Ｃへ搬送することができる。
【０１７６】
因みに紙幣入出金機３１０は、リジェクト紙幣が発生した場合、やはり第１紙幣収納庫２２Ａから第３紙幣収納庫２２Ｃへ搬送する場合等と同様に、該リジェクト紙幣を矢印Ｗ１３に沿って進行させ、後リジェクト庫１８に引き渡して収納させる。
【０１７７】
さらに紙幣入出金機３１０は、第２紙幣収納庫２２Ｂから第４紙幣収納庫２４へ紙幣を搬送する場合、図２６（Ｃ）に示す矢印Ｗ３８に沿って紙幣を進行させる。このとき紙幣入出金機３１０の下搬送部３２１は、第３紙幣収納庫２２Ｃへ搬送する矢印Ｗ３７（図２６（Ｂ））の場合と同様に紙幣を前搬送部受渡口５６まで搬送し、前搬送部１４に引き渡す。
【０１７８】
その後、紙幣入出金機３１０は、第１紙幣収納庫２２Ａから第４紙幣収納庫２４へ搬送する場合（図２５（Ｃ））と同様に、鑑別部１６を通る搬送経路に沿って紙幣を第４紙幣収納庫２４へ搬送し、収納させる。かくして紙幣入出金機３１０は、紙幣を第２紙幣収納庫２２Ｂから第４紙幣収納庫２４へ搬送することができる。
【０１７９】
因みに紙幣入出金機３１０は、リジェクト紙幣が発生した場合、やはり第１紙幣収納庫２２Ａから第４紙幣収納庫２４へ搬送する場合等と同様に、該リジェクト紙幣を矢印Ｗ１３に沿って進行させ、後リジェクト庫１８に引き渡して収納させる。
【０１８０】
このように紙幣入出金機３１０は、第２紙幣収納庫２２Ｂを搬送元とした場合、鑑別部１６を通過する搬送経路を通って鑑別処理を行いながら紙幣を搬送し、搬送先である第１紙幣収納庫２２Ａ、第３紙幣収納庫２２Ｃ若しくは第４紙幣収納庫２４の何れか、又は後リジェクト庫１８に到達させて、収納することができる。
【０１８１】
［３−１−３．第３紙幣収納庫からの紙幣の搬送］
紙幣入出金機３１０は、第３紙幣収納庫２２Ｃから第１紙幣収納庫２２Ａへ紙幣を搬送する場合、図２７（Ａ）に示す矢印Ｗ３９に沿って紙幣を進行させる。この矢印Ｗ３９は、第１紙幣収納庫２２Ａから第３紙幣収納庫２２Ｃへ紙幣を搬送する場合の矢印Ｗ３２（図２５（Ｂ））と同一の搬送経路を反対方向に進むものとなっている。このため紙幣入出金機３１０は、矢印Ｗ３２の場合と反対の順序で紙幣を進行させていく。
【０１８２】
すなわち、搬送元である第３紙幣収納庫２２Ｃは、収納している紙幣を順次繰り出して下搬送部３２１に引き渡す。下搬送部３２１は、収納切替器３５１Ｃにより紙幣を下側から後側へ進行させ、この紙幣を下第１搬送路６１に沿って後方へ進行させ、補充回収切替器５３において上側へ進行させて、後搬送部１５に引き渡す。
【０１８３】
その後、紙幣入出金機３１０は、補充処理（図１２）を行う場合における矢印Ｗ１０と同様の搬送経路に沿って、鑑別部１６を介して紙幣を進行させ、再び下搬送部３２１に引き渡す。下搬送部３２１は、収納切替器５１Ａにより紙幣を上側から下側へ搬送し、搬送先である第１紙幣収納庫２２Ａに引き渡して収納させる。かくして紙幣入出金機３１０は、紙幣を第３紙幣収納庫２２Ｃから第１紙幣収納庫２２Ａへ搬送することができる。
【０１８４】
因みに紙幣入出金機３１０は、リジェクト紙幣が発生した場合、第２紙幣収納庫２２Ｂから第１紙幣収納庫２２Ａへ紙幣を搬送する場合（図２６（Ａ））と同様、搬送元である第３紙幣収納庫２２Ｃからの紙幣の繰出を一時的に停止させた上で、該リジェクト紙幣を矢印Ｗ３６に沿って搬送し、後リジェクト庫１８に引き渡して収納させる。
【０１８５】
また紙幣入出金機３１０は、第３紙幣収納庫２２Ｃから第２紙幣収納庫２２Ｂへ紙幣を搬送する場合、図２７（Ｂ）に示す矢印Ｗ４０に沿って紙幣を進行させる。この矢印Ｗ４０は、第２紙幣収納庫２２Ｂから第３紙幣収納庫２２Ｃへ紙幣を搬送する場合の矢印Ｗ３７（図２６（Ｂ））と同一の搬送経路を反対方向に進むものとなっている。
【０１８６】
すなわち搬送元である第３紙幣収納庫２２Ｃは、収納している紙幣を順次繰り出して下搬送部３２１に引き渡す。その後、紙幣入出金機３１０は、下搬送部３２１の収納切替器３５１Ｃにより紙幣を下側から後側へ進行させた後、第１紙幣収納庫２２Ａへ搬送する場合（図２７（Ａ））と同様の搬送経路に沿って鑑別部１６を介して紙幣を進行させ、再び下搬送部３２１に引き渡す。下搬送部３２１は、収納切替器５１Ａにより紙幣を上側から後側へ搬送し、下第１搬送路６１に沿って後方へ進行させた後、収納切替器３５１Ｂにより紙幣を下側へ進行させ、搬送先である第２紙幣収納庫２２Ｂに引き渡して収納させる。かくして紙幣入出金機３１０は、紙幣を第３紙幣収納庫２２Ｃから第２紙幣収納庫２２Ｂへ搬送することができる。
【０１８７】
因みに紙幣入出金機３１０は、リジェクト紙幣が発生した場合、第３紙幣収納庫２２Ｃから第１紙幣収納庫２２Ａへ紙幣を搬送する場合（図２７（Ａ））と同様、搬送元である第３紙幣収納庫２２Ｃからの紙幣の繰出を一時的に停止させた上で、該リジェクト紙幣を矢印Ｗ４１に沿って搬送し、後リジェクト庫１８に引き渡して収納させる。
【０１８８】
さらに紙幣入出金機３１０は、第３紙幣収納庫２２Ｃから第４紙幣収納庫２４へ紙幣を搬送する場合、図２７（Ｃ）に示す矢印Ｗ４２に沿って紙幣を進行させる。このとき紙幣入出金機３１０の下搬送部３２１は、第３紙幣収納庫２２Ｃから繰り出された紙幣を収納切替器３５１Ｃにおいて下側から前側へ進行させ、下第１搬送路６１に沿って収納切替器３５１Ｂを介して前方へ進行させ、収納切替器５１Ａにより後側から上側へ進行させて前搬送部受渡口５６に到達させ、前搬送部１４に引き渡す。
【０１８９】
その後、紙幣入出金機３１０は、第１紙幣収納庫２２Ａ又は第２紙幣収納庫２２Ｂから第４紙幣収納庫２４へ搬送する場合（図２５（Ｃ）及び図２６（Ｃ））と同様に、鑑別部１６を通る搬送経路に沿って紙幣を第４紙幣収納庫２４へ搬送し、収納させる。かくして紙幣入出金機３１０は、紙幣を第３紙幣収納庫２２Ｃから第４紙幣収納庫２４へ搬送することができる。
【０１９０】
因みに紙幣入出金機３１０は、リジェクト紙幣が発生した場合、第１紙幣収納庫２２Ａ又は第２紙幣収納庫２２Ｂから第４紙幣収納庫２４へ搬送する場合等と同様に、該リジェクト紙幣を矢印Ｗ１３に沿って進行させ、後リジェクト庫１８に引き渡して収納させる。
【０１９１】
このように紙幣入出金機３１０は、第３紙幣収納庫２２Ｃを搬送元とした場合、鑑別部１６を通過する搬送経路を通って鑑別処理を行いながら紙幣を搬送し、搬送先である第１紙幣収納庫２２Ａ、第２紙幣収納庫２２Ｂ若しくは第４紙幣収納庫２４の何れか、又は後リジェクト庫１８に到達させて、収納することができる。
【０１９２】
［３−１−４．第４紙幣収納庫からの紙幣の搬送］
紙幣入出金機３１０は、第４紙幣収納庫２４から第１紙幣収納庫２２Ａへ紙幣を搬送する場合、図２８（Ａ）に示す矢印Ｗ４３に沿って紙幣を進行させる。この矢印Ｗ４３は、第１紙幣収納庫２２Ａから第４紙幣収納庫２４へ紙幣を搬送する場合の矢印Ｗ３３（図２５（Ｃ））と同一の搬送経路を反対方向に進むものとなっている。このため紙幣入出金機３１０は、矢印Ｗ３３の場合と反対の順序で紙幣を進行させていく。
【０１９３】
すなわち、搬送元である第４紙幣収納庫２４は、収納している紙幣を順次繰り出して下搬送部３２１に引き渡す。その後、紙幣入出金機３１０は、補充処理（図１２）を行う場合における矢印Ｗ１０と同様の搬送経路に沿って、鑑別部１６を介して紙幣を進行させ、再び下搬送部３２１に引き渡す。下搬送部３２１は、収納切替器５１Ａにより紙幣を上側から下側へ搬送し、搬送先である第１紙幣収納庫２２Ａに引き渡して収納させる。かくして紙幣入出金機３１０は、紙幣を第４紙幣収納庫２４から第１紙幣収納庫２２Ａへ搬送することができる。
【０１９４】
因みに紙幣入出金機３１０は、リジェクト紙幣が発生した場合、第３紙幣収納庫２２Ｃから第１紙幣収納庫２２Ａへ紙幣を搬送する場合（図２７（Ａ））と同様、搬送元である第４紙幣収納庫２４からの紙幣の繰出を一時的に停止させた上で、該リジェクト紙幣を矢印Ｗ３６に沿って搬送し、後リジェクト庫１８に引き渡して収納させる。
【０１９５】
また紙幣入出金機３１０は、第４紙幣収納庫２４から第２紙幣収納庫２２Ｂへ紙幣を搬送する場合、図２８（Ｂ）に示す矢印Ｗ４４に沿って紙幣を進行させる。この矢印Ｗ４４は、第２紙幣収納庫２２Ｂから第４紙幣収納庫２４へ紙幣を搬送する場合の矢印Ｗ３８（図２６（Ｃ））と同一の搬送経路を反対方向に進むものとなっている。
【０１９６】
すなわち搬送元である第４紙幣収納庫２４は、収納している紙幣を順次繰り出して下搬送部３２１に引き渡す。その後、紙幣入出金機３１０は、第１紙幣収納庫２２Ａへ搬送する場合（図２８（Ａ））と同様の搬送経路に沿って鑑別部１６を介して紙幣を進行させ、再び下搬送部３２１に引き渡す。下搬送部３２１は、収納切替器５１Ａにより紙幣を上側から後側へ搬送し、下第１搬送路６１に沿って後方へ進行させた後、収納切替器３５１Ｂにより紙幣を下側へ進行させ、搬送先である第２紙幣収納庫２２Ｂに引き渡して収納させる。かくして紙幣入出金機３１０は、紙幣を第４紙幣収納庫２４から第２紙幣収納庫２２Ｂへ搬送することができる。
【０１９７】
因みに紙幣入出金機３１０は、リジェクト紙幣が発生した場合、第３紙幣収納庫２２Ｃから第２紙幣収納庫２２Ｂへ紙幣を搬送する場合（図２７（Ｂ））と同様、搬送元である第４紙幣収納庫２４からの紙幣の繰出を一時的に停止させた上で、該リジェクト紙幣を矢印Ｗ４１に沿って搬送し、後リジェクト庫１８に引き渡して収納させる。
【０１９８】
さらに紙幣入出金機３１０は、第４紙幣収納庫２４から第３紙幣収納庫２２Ｃへ紙幣を搬送する場合、図２８（Ｃ）に示す矢印Ｗ４５に沿って紙幣を進行させる。この矢印Ｗ４５は、第３紙幣収納庫２２Ｃから第４紙幣収納庫２４へ紙幣を搬送する場合の矢印Ｗ４２（図２７（Ｃ））と同一の搬送経路を反対方向に進むものとなっている。
【０１９９】
すなわち搬送元である第４紙幣収納庫２４は、収納している紙幣を順次繰り出して下搬送部３２１に引き渡す。その後、紙幣入出金機３１０は、第１紙幣収納庫２２Ａへ搬送する場合（図２８（Ａ））と同様の搬送経路に沿って鑑別部１６を介して紙幣を進行させ、再び下搬送部３２１に引き渡す。下搬送部３２１は、収納切替器５１Ａにより紙幣を上側から後側へ搬送し、下第１搬送路６１に沿って収納切替器３５１Ｂを介して後方へ進行させた後、収納切替器３５１Ｃにより紙幣を下側へ進行させ、搬送先である第３紙幣収納庫２２Ｃに引き渡して収納させる。かくして紙幣入出金機３１０は、紙幣を第４紙幣収納庫２４から第３紙幣収納庫２２Ｃへ搬送することができる。
【０２００】
因みに紙幣入出金機３１０は、リジェクト紙幣が発生した場合、第４紙幣収納庫２４から第１紙幣収納庫２２Ａ又は第２紙幣収納庫２２Ｂへ紙幣を搬送する場合（図２８（Ａ）及び（Ｂ））と同様、搬送元である第４紙幣収納庫２４からの紙幣の繰出を一時的に停止させる。そのうえで紙幣入出金機３１０は、リジェクト紙幣を矢印Ｗ４６に沿って搬送し、後リジェクト庫１８に引き渡して収納させる。
【０２０１】
このように紙幣入出金機３１０は、第４紙幣収納庫２４を搬送元とした場合、鑑別部１６を通過する搬送経路を通って鑑別処理を行いながら紙幣を搬送し、搬送先である第１紙幣収納庫２２Ａ、第２紙幣収納庫２２Ｂ若しくは第３紙幣収納庫２２Ｃの何れか、又は後リジェクト庫１８に到達させて、収納することができる。
【０２０２】
［３−２．動作及び効果］
以上の構成において、第３の実施の形態による現金自動預払機３０１の紙幣入出金機３１０は、下搬送部３２１の補充回収切替器５３と同様に収納切替器２５１Ｂ及び２５１Ｃを何れも３ウェイの切替器とし、それぞれ後側、前側及び下側の間で紙幣の搬送路同士の接続を３通りに切り換えるようにした。
【０２０３】
ここで、紙幣入出金機３１０内における紙幣の搬送に関する各部の構成を模式化すると、図１４及び図２２と対応する図２９のように表すことができる。ただし図２９では、一時保留部１７、取忘収納庫１９及び下リジェクト庫２３を省略している。
【０２０４】
この図２９からも分かるように、紙幣入出金機３１０は、下第１搬送路６１における収納切替器２５１Ｂの前側部分に加えて、該収納切替器２５１Ｂの後側部分においても、第２紙幣収納庫２２Ｂとの間で紙幣を双方向へ搬送することができる。これと同様に紙幣入出金機３１０は、下第１搬送路６１における収納切替器２５１Ｃの前側部分に加えて、該収納切替器２５１Ｃの後側部分においても、第３紙幣収納庫２２Ｃとの間で紙幣を双方向へ搬送することができる。
【０２０５】
すなわち紙幣入出金機３１０では、第１の実施の形態（図１４）と同様に鑑別部１６を貫通する環状搬送路ＬＰを形成し、この環状搬送路ＬＰ上に収納切替器５１Ａ、３５１Ｂ、３５１Ｃ及び補充回収切替器５３を順次配置して、それぞれに紙幣収納庫を接続した構成とした。
【０２０６】
このため紙幣入出金機３１０では、各切替器を適宜制御することにより、第１紙幣収納庫２２Ａ、第２紙幣収納庫２２Ｂ及び第３紙幣収納庫２２Ｃの何れにおいても、鑑別部１６の前受渡口１６Ｆとの間で紙幣を搬送することができる。また紙幣入出金機３１０では、各切替器を適宜制御することにより、第２紙幣収納庫２２Ｂ、第３紙幣収納庫２２Ｃ及び第４紙幣収納庫２４の何れにおいても、鑑別部１６の後受渡口１６Ｒとの間で紙幣を搬送することができる。
【０２０７】
これにより紙幣入出金機３１０では、第１紙幣収納庫２２Ａ、第２紙幣収納庫２２Ｂ、第３紙幣収納庫２２Ｃ及び第４紙幣収納庫２４から２個の紙幣収納庫を選択した上で、環状搬送路ＬＰ上を互いに離れる方向へ辿るようにして鑑別部１６までの搬送経路をそれぞれ設定することにより、紙幣の搬送経路を形成できる。このとき形成された搬送経路は、鑑別部１６を通り、搬送経路同士が交差することや重複することが無い。すなわち紙幣入出金機３１０では、選択された２個の紙幣収納庫の間で、多数の紙幣を中断すること無く連続的に、すなわち短時間で搬送することができる。
【０２０８】
特に紙幣入出金機３１０では、上述した第１の実施の形態と同様、第４紙幣収納庫２４（すなわち補充回収庫２４）を含む補充回収カセット２５（図３）の着脱により、紙幣の補充又は回収を行うことができる。
【０２０９】
例えば紙幣入出金機３１０は、紙幣の補充を行う場合、予め第４紙幣収納庫２４に収納されていた紙幣を他の紙幣収納庫へ搬送して移動させ、空の状態とする必要がある。ここで、例えば第１紙幣収納庫２２Ａに十分な枚数の紙幣が収納されている一方、第２紙幣収納庫２２Ｂ及び第３紙幣収納庫２２Ｃにそれぞれ僅かずつ紙幣が収納されており、さらに第４紙幣収納庫２４に十分な枚数の紙幣が収納されていた場合を想定する。
【０２１０】
このような場合、紙幣入出金機３１０では、第２紙幣収納庫２２Ｂ及び第３紙幣収納庫２２Ｃのうち一方の紙幣を他方へ移動させて空の状態としてから、第４紙幣収納庫２４からこの空の状態の紙幣収納庫へ紙幣を移動させ、該第４紙幣収納庫２４を空の状態として補充回収カセット２５を取り外すことが考えられる。
【０２１１】
このとき紙幣入出金機３１０では、搬送元及び搬送先として何れの紙幣収納庫を選択した場合であっても、鑑別部１６を通る搬送経路に沿って鑑別させながら、紙幣を円滑に移動させることができ、紙幣の補充処理を確実に、且つ短時間で完了することができる。
【０２１２】
ところで紙幣入出金機３１０では、例えば図２５（Ａ）に示したように、移動元である第１紙幣収納庫２２Ａから移動先である第２紙幣収納庫２２Ｂへ紙幣を移動させる場合、第１搬送路Ｒ１（図２９）上における移動元からの前受渡口１６Ｆまでの搬送路長が、移動先から前受渡口１６Ｆまでの経路長よりも短くなる。この場合、紙幣入出金機３１０では、環状搬送路ＬＰを図の反時計回りに進行するように紙幣を搬送するため、鑑別部１６において鑑別された紙幣が後受渡口１６Ｒ側から第２搬送路Ｒ２へ引き渡される。すなわち紙幣入出金機３１０では、仮にリジェクト紙幣が発生した場合、これを第２搬送路Ｒ２に接続された後リジェクト庫１８へ搬送して収納させれば良いため、移動元から繰り出され鑑別部１６へ向かう紙幣の搬送路と、該リジェクト紙幣の搬送路とを重複させずに済む。
【０２１３】
一方、紙幣入出金機３１０では、例えば図２６（Ａ）に示したように、移動元である第２紙幣収納庫２２Ｂから搬送先である第１紙幣収納庫２２Ａへ紙幣を移動させる場合、第１搬送路Ｒ１（図２９）上における移動元からの前受渡口１６Ｆまでの搬送路長が、搬送先から前受渡口１６Ｆまでの経路長よりも長くなる。この場合、紙幣入出金機３１０では、環状搬送路ＬＰを図の時計回りに進行するように紙幣を搬送するため、鑑別部１６において鑑別された紙幣が前受渡口１６Ｆ側から第１搬送路Ｒ１へ引き渡される。すなわち紙幣入出金機３１０では、仮にリジェクト紙幣が発生した場合、これを第１搬送路Ｒ１から補充回収切替器５３を介して第２搬送路Ｒ２まで搬送した上で、さらに後リジェクト庫１８へ搬送して収納させる必要がある。このとき紙幣入出金機３１０は、移動元から繰り出され鑑別部１６へ向かう紙幣の搬送路と、該リジェクト紙幣の搬送路とを一部重複させることになる。このような場合、紙幣入出金機３１０の紙幣制御部３１２は、移動元からの紙幣の繰出を一時的に停止させ、リジェクト紙幣を後リジェクト庫１８まで搬送して収納させた後、移動元からの紙幣の繰出を再開させることで、各紙幣をそれぞれの搬送先へ適切に搬送することができる。
【０２１４】
その他の点においても、第３の実施の形態による紙幣入出金機３１０は、第１の実施の形態による紙幣入出金機１０と同様の作用効果を奏し得る。
【０２１５】
以上の構成によれば、第３の実施の形態による現金自動預払機３０１の紙幣入出金機３１０は、第１紙幣収納庫２２Ａ、第２紙幣収納庫２２Ｂ、第３紙幣収納庫２２Ｃ及び第４紙幣収納庫２４から何れの組合せにより搬送元及び搬送先をそれぞれ選定した場合においても、鑑別部１６を経由した搬送経路に沿って、紙幣を搬送できる。このとき紙幣入出金機３１０は、搬送経路同士の交差や重複を生じさせないため、紙幣を円滑に搬送することができる。これにより紙幣入出金機３１０では、補充回収カセット２５の着脱を利用した紙幣の補充及び回収を確実に、且つ短時間で行うことができる。
【０２１６】
［４．他の実施の形態］
なお上述した第１の実施の形態においては、紙幣入出金機１０内における各部の配置を、図２に示した構成とする場合について述べた。しかしながら本発明はこれに限らず、各部の配置を適宜変更しても良い。この場合、要は環状搬送路ＬＰ（図１４）を形成でき、且つ補充回収切替器５３を３ウェイの切替器として、補充回収庫２４から鑑別部１６の後受渡口１６Ｒ側及び前受渡口１６Ｆ側の何れへも紙幣を搬送できれば良い。第２及び第３の実施の形態についても同様である。
【０２１７】
また上述した第１の実施の形態においては、後搬送部１５の後リジェクト切替器３４を３ウェイとすることにより、上側から搬送されてきた紙幣（図９）及び下側から搬送されてきた紙幣（図８）の双方を後リジェクト庫１８へ搬送して収納させる場合について述べた。しかしながら本発明はこれに限らず、例えば後リジェクト切替器３４を２ウェイとして、下側から搬送されてきた紙幣のみを後リジェクト庫１８へ搬送して収納させるようにしても良い。この場合、出金処理（図９）において発生したリジェクト紙幣については、例えば一時保留部１７に一度収納しておき、後から入金収納処理におけるリジェクト紙幣（図８）と同様に、後リジェクト庫１８へ搬送して収納させれば良い。第２及び第３の実施の形態についても同様である。
【０２１８】
さらに上述した第１の実施の形態においては、後リジェクト庫１８を後搬送部１５の後側に配置する場合について述べた。しかしながら本発明はこれに限らず、例えば後リジェクト庫１８を紙幣収納庫２２の前側や前搬送部１４の前側等、他の種々の箇所に配置しても良い。第２及び第３の実施の形態についても同様である。
【０２１９】
さらに上述した第１の実施の形態においては、後搬送部１５の取忘切替器３５により、下側の搬送路及び上側の搬送路を接続し、或いは下側の搬送路と後側の取忘収納庫１９とを接続するよう切り替えるようにした場合について述べた。この場合、取忘紙幣の取込処理（図１０及び図１１）において、取忘切替器３５の下側から搬送されてきた紙幣を後側へ進行させて取忘収納庫１９に収納させるようにした。しかしながら本発明はこれに限らず、例えば取忘切替器３５を上下反対に構成することにより、上側の搬送路及び下側の搬送路を接続し、或いは上側の搬送路と後側の取忘収納庫１９とを接続するよう切り替えるようにしても良い。この場合、入出金部１３から取り込んだ紙幣を一時保留部１７に収納させること無く、そのまま取忘切替器３５まで搬送し、後側へ進行させて取忘収納庫１９に直接収納させることができる。或いは、紙幣入出金機１０から取忘収納庫１９及び取忘切替器３５を省略しても良い。この場合、例えば補充回収庫２４に取忘紙幣を搬送して収納させても良い。第２及び第３の実施の形態についても同様である。
【０２２０】
さらに上述した第１の実施の形態においては、補充回収庫２４を下搬送部２１の下側における最も後側に配置する場合について述べた（図２）。しかしながら本発明はこれに限らず、例えば下搬送部２１の下側における最も前側等、補充回収庫２４を他の箇所に配置しても良い。この場合、筐体１１に対し容易に着脱可能な箇所であることが望ましい。第２及び第３の実施の形態についても同様である。
【０２２１】
さらに上述した第１の実施の形態においては、筐体１１における下搬送部２１よりも下側の部分を前側又は後側へ引き出すことにより、当該筐体１１に対し補充回収カセット２５を着脱させる場合について述べた。しかしながら本発明はこれに限らず、例えば筐体１１の後側から、補充回収カセット２５を単体で容易に着脱し得るように構成しても良い。この場合、補充回収カセット２５の着脱作業を簡素化でき、また紙幣収納庫２２Ａ〜２２Ｃと下搬送部２１との間で紙幣を受け渡し得る状態、すなわち現金自動預払機１の運用を止めることなく、当該補充回収カセット２５を着脱させることもできる。第２及び第３の実施の形態についても同様である。
【０２２２】
さらに上述した第１の実施の形態においては、補充回収庫２４と下リジェクト庫２３とを一体化させて補充回収カセット２５とする場合について述べた。しかしながら本発明はこれに限らず、例えば補充回収庫２４及び下リジェクト庫２３を互いに独立した構成としても良い。さらにこの場合、筐体１１に対し補充回収庫２４を紙幣収納庫２２と同じ向きになるように取り付けても良い。この場合、下搬送部２１との間で受け渡す紙幣における紙面の前後と収納空間内での紙面の上下との関係を、紙幣収納庫２２及び補充回収庫２４の間で統一することができる。第２及び第３の実施の形態についても同様である。
【０２２３】
さらに上述した第１の実施の形態においては、補充回収庫２４を紙幣収納庫２２とほぼ前後対称に構成する場合について述べた（図２）。しかしながら本発明はこれに限らず、例えば補充回収庫２４を紙幣収納庫２２と同様に構成しても良い。このとき補充回収カセット２５としては、補充回収庫２４及び下リジェクト庫２３を２枚貝のように開閉可能とせず、両者を一体化しても良い。この場合、補充回収庫２４において、紙幣収納庫２２と同様に後側に開閉可能な扉を設けることにより、紙幣収納庫２２との間で、扉の構成や作業者による操作性を統一することができる。さらにこの場合、下リジェクト庫２３の扉を前側に設けると共に、補充回収庫２４の扉を解錠した上で開放した状態でのみ、当該下リジェクト庫２３の扉を開放できるようにしても良い。これにより、補充回収庫２４の扉にのみ１枚の封緘紙ＳＬを貼り付けることで、当該補充回収庫２４及び下リジェクト庫２３の双方の扉が開放されておらず内部の紙幣が抜き取られていないことを保証できる。第２及び第３の実施の形態についても同様である。
【０２２４】
さらに上述した第１の実施の形態においては、補充回収カセット２５（図３）を、蝶番２６により補充回収庫２４及び下リジェクト庫２３を２枚貝のように開閉可能とする場合について述べた。しかしながら本発明はこれに限らず、例えば図３０（Ａ）及び（Ｂ）に示す補充回収カセット４２５のように、外周を覆う筐体４２６の内部に補充回収庫４２４及び下リジェクト庫４２３を組み込み、当該筐体４２６の左側にそれぞれ開閉可能な左前扉４２７及び左後扉４２８を設けた構成としても良い。左前扉４２７は、下リジェクト庫４２３を閉塞しており、前端近傍に設けられた蝶番により筐体４２６に対して自在に回動する。左後扉４２８は、補充回収庫４２４を閉塞しており、後端近傍に設けられた蝶番により筐体４２６に対して自在に回動する。すなわち左前扉４２７及び左後扉４２８は、いわゆる観音開きとなっている。この場合、左前扉４２７及び左後扉４２８にまたがるように１枚の封緘紙ＳＬを貼り付けることにより、補充回収庫４２４及び下リジェクト庫４２３から紙幣が抜き取られていないことを保証できる。第２及び第３の実施の形態についても同様である。
【０２２５】
さらに上述した第１の実施の形態においては、補充回収カセット２５（図３）に下リジェクト内扉２７及び補充回収内扉２８といった２枚の内扉を設ける場合について述べた。しかしながら本発明はこれに限らず、内扉を１枚のみ、例えば下リジェクト内扉２７のみを設けるようにしても良い。この場合、図３（Ａ）のように下リジェクト庫２３及び補充回収庫２４を互いに当接させた（すなわち閉じた）状態であれば、１枚の下リジェクト内扉２７により下リジェクト庫２３及び補充回収庫２４の双方を閉塞し、各紙幣の混在を防止できる。また図３（Ｂ）のように下リジェクト庫２３及び補充回収庫２４を引き離した（すなわち開いた）状態であれば、下リジェクト内扉２７を適宜回動させることにより、下リジェクト庫２３及び補充回収庫２４のうち何れか一方を閉塞すると同時に、他方を開放できる。第２及び第３の実施の形態についても同様である。
【０２２６】
さらに上述した第１の実施の形態においては、下リジェクト切替器５２を２ウェイの切替器とし、前側の搬送路と後側の搬送路とを接続し、或いは前側の搬送路と下側の搬送路とを接続するよう、搬送路同士の接続を２通りに切り換えるようにした場合について述べた。しかしながら本発明はこれに限らず、例えば下リジェクト切替器５２を補充回収切替器５３等と同様の３ウェイの切替器とし、前側、後側及び下側の搬送路の間で、２つの搬送路の接続を３通りに切り換えるようにしても良い。これにより、回収処理（図１３）においてリジェクト紙幣が発生した場合に、後リジェクト切替器３４において下方へ搬送し、補充回収切替器５３において前方へ搬送し、下リジェクト切替器５２において下方へ搬送すること、すなわち該リジェクト紙幣を後リジェクト庫１８ではなく下リジェクト庫２３へ搬送して収納させることができる。この場合、回収処理において発生したリジェクト紙幣が、補充回収カセット２５（図３）の一部である下リジェクト庫２３内に収納されているため、該補充回収カセット２５のみを着脱するだけで、補充回収庫２４内に回収された正常な紙幣と共にリジェクト紙幣も回収できるので、後リジェクト庫１８を着脱させる必要が無い。第３の実施の形態についても同様である。
【０２２７】
さらに上述した第１の実施の形態においては、補充回収切替器５３を下リジェクト切替器５２よりも後側に配置する場合について述べた（図５）。しかしながら本発明はこれに限らず、例えば補充回収切替器５３を下リジェクト切替器５２よりも前側に配置しても良い。この場合、補充リジェクト紙幣が発生したときには、補充回収庫２４からの紙幣の繰出を一時停止し、当該補充リジェクト紙幣を下リジェクト庫２３へ搬送して収納させ、紙幣の繰出を再開する、といった搬送制御を行えば良い。第２及び第３の実施の形態についても同様である。
【０２２８】
さらに上述した第１の実施の形態においては、下リジェクト庫２３を補充回収庫２４よりも前側に配置する場合について述べた。しかしながら本発明はこれに限らず、例えば下リジェクト庫２３を補充回収庫２４よりも後側に配置し、下リジェクト切替器５２を補充回収切替器５３よりも後側に配置しても良い。この場合も、補充リジェクト紙幣が発生したときには、上述した搬送制御を行えば良い。第２及び第３の実施の形態についても同様である。
【０２２９】
さらに上述した第１の実施の形態においては、下リジェクト庫２３を設け、ここに補充リジェクト紙幣を収納する場合について述べた。しかしながら本発明はこれに限らず、例えば下リジェクト庫２３及び下リジェクト切替器５２を省略しても良い。この場合、補充リジェクト紙幣が発生したときには、例えば後リジェクト庫１８へ搬送して収納させても良く、或いは一時保留部１７や入出金部１３等に一時的に収納しておき、補充処理の終了後に補充回収庫２４へ搬送しても良い。第２及び第３の実施の形態についても同様である。
【０２３０】
さらに上述した第１の実施の形態においては、補充処理（図１２）において発生した補充リジェクト紙幣を下リジェクト庫２３へ搬送して収納し、また回収処理（図１３）において発生した回収リジェクト紙幣を後リジェクト庫１８へ搬送して収納する場合について述べた。すなわち補充処理及び回収処理において、補充リジェクト紙幣及び回収リジェクト紙幣を、互いに異なるリジェクト庫へ搬送して収納していた。しかしながら本発明はこれに限らず、例えば補充リジェクト紙幣及び回収リジェクト紙幣を、同一のリジェクト庫、すなわち後リジェクト庫１８又は下リジェクト庫２３の何れか一方に、まとめて収納しても良い。この場合、各切替器において紙幣を搬送し得る方向を適宜変更又は追加することにより、必要な搬送経路を形成し得るようにすれば良い。或いは、補充処理において発生した全ての補充リジェクト紙幣を１個のリジェクト庫（後リジェクト庫１８又は下リジェクト庫２３の何れか一方）にまとめて収納するのでは無く、後リジェクト庫１８及び下リジェクト庫２３に適宜分散させ、それぞれに収納しても良い。第２及び第３の実施の形態についても同様である。
【０２３１】
さらに上述した第１の実施の形態においては、補充回収庫２４を紙幣収納モードで動作させる場合に、出金処理（図９）において、下搬送部２１の下第２搬送路６２、下第１搬送路６１及び鑑別部を通過する経路に沿って入出金部１３へ紙幣を搬送する場合について述べた。しかしながら本発明はこれに限らず、例えば補充処理（図１２）と一部同様に、下搬送部２１の下第２搬送路６２、後搬送部１５の後第４搬送路４４、後第３搬送路４３及び後第２搬送路４２を順次通過する経路に沿って入出金部１３へ紙幣を搬送しても良い。これにより、例えば下第１搬送路６１に障害が発生したものの下第２搬送路６２が正常に動作している場合に、出金等の一部の機能のみに制限されるものの、現金自動預払機１の運用を完全に停止させること無く、いわば縮退した状態で運用を継続することが可能となる。第２及び第３の実施の形態についても同様である。
【０２３２】
さらに上述した第１の実施の形態においては、後搬送部１５に比較的大きな半径の円筒状に形成されたドライブローラ３１を設け、当該ドライブローラ３１の周側面に沿って紙幣を搬送する場合について述べた。しかしながら本発明はこれに限らず、例えば搬送路を挟んで対向する両側に半径が比較的小さいローラの対をローラ対とし、複数のローラ対を適宜配置することで搬送路を形成しても良い。第２及び第３の実施の形態についても同様である。
【０２３３】
さらに上述した第２の実施の形態においては、筐体２１１の下部筐体２１１Ｌにおいて、主フレーム２７１に対し後フレーム２７２をスライドし得るように構成することにより、紙幣収納庫２２を下搬送部２２１の各搬送路と接続させたまま、補充回収カセット２５を着脱させ得るようにした場合について述べた。しかしながら本発明はこれに限らず、第１及び第３の実施の形態においても、筐体１１を同様に構成しても良い。
【０２３４】
さらに上述した第２の実施の形態においては、下部筐体２１１Ｌ（図１７）において、主フレーム２７１に３個の紙幣収納庫２２（２２Ａ、２２Ｂ及び２２Ｃ）を装填すると共に、後フレーム２７２に補充回収カセット２５のみを装填するようにした場合について述べた。しかしながら本発明はこれに限らず、例えば主フレーム２７１に２個の紙幣収納庫２２（２２Ａ及び２２Ｂ）を装填すると共に、後フレーム２７２に補充回収カセット２５及び１個の紙幣収納庫２２Ｃを装填する等、後フレーム２７２に１個以上の紙幣収納庫２２を装填するようにしても良い。
【０２３５】
さらに上述した第３の実施の形態においては、第４紙幣収納庫２４から第１紙幣収納庫２２Ａへ紙幣を搬送する場合（図２８（Ａ））等に、リジェクト紙幣を後リジェクト庫１８へ搬送して収納させる場合について述べた。しかしながら本発明はこれに限らず、例えばこのリジェクト紙幣を下リジェクト庫２３へ搬送して収納させるようにしても良い。このようにすることにより、第４紙幣収納庫２４等の搬送元から繰り出された紙幣の搬送経路とリジェクト紙幣の搬送経路との重複を回避できる場合があり、この場合に紙幣の繰出を一時停止させる必要が無く、紙幣の搬送を継続することができる。
【０２３６】
さらに上述した第１の実施の形態においては、媒体としての紙幣を顧客との間で取引する現金自動預払機１に本発明を適用する場合について述べた。しかしながら本発明はこれに限らず、例えば金券や証券、或いは入場券や商品券等、種々の紙葉状の媒体を利用者との間で取引する種々の装置に適用しても良い。第２及び第３の実施の形態についても同様である。
【０２３７】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０２３８】
さらに上述した第１の実施の形態においては、入出部としての入出金部１３と、一時保留部としての一時保留部１７と、鑑別部としての鑑別部１６と、媒体収納庫としての紙幣収納庫２２と、補充回収庫としての補充回収庫２４と、補充回収切替器としての補充回収切替器５３と、収納切替器としての収納切替器５１とによって媒体取引装置としての紙幣入出金機１０を構成する場合について述べた。しかしながら本発明はこれに限らず、その他種々の構成でなる入出部と、一時保留部と、鑑別部と、媒体収納庫と、補充回収庫と、補充回収切替器と、収納切替器とによって媒体取引装置を構成しても良い。
【産業上の利用可能性】
【０２３９】
本発明は、例えば顧客との間で紙幣を取引する現金自動預払機でも利用できる。
【符号の説明】
【０２４０】
１、２０１、３０１……現金自動預払機、１０、２１０、３１０……紙幣入出金機、１１……筐体、１２、２１２、３１２……紙幣制御部、１３……入出金部、１３Ａ……引渡口、１３Ｂ……受取口、１４……前搬送部、１４Ａ……入出金部受取口、１４Ｂ……鑑別部受渡口、１４ＢＣ……前搬送路、１４Ｃ……下搬送部受渡口、１５、２１５……後搬送部、１６……鑑別部、１６Ｆ……前受渡口、１６Ｒ……後受渡口、１７……一時保留部、１８……後リジェクト庫、１９……取忘収納庫、２１、２２１、３２１……下搬送部、２２、２２Ａ、２２Ｂ、２２Ｃ……紙幣収納庫、２３……下リジェクト庫、２４……補充回収庫、３１……ドライブローラ、３２……入出金切替器、３３……一時保留切替器、３４……後リジェクト切替器、３５、２３５……取忘切替器、３７……鑑別部受渡口、３８……下搬送部受渡口、４１……後第１搬送路、４２……後第２搬送路、４３……後第３搬送路、４４……後第４搬送路、４５……後一時保留搬送路、５１Ａ、５１Ｂ、５１Ｃ、３５１Ｂ、３５１Ｃ……収納切替器、５２……下リジェクト切替器、５３、２５３……補充回収切替器、５６……前搬送部受渡口、５７……補充回収受渡口、６１……下第１搬送路、６２……下第２搬送路、ＬＰ……環状搬送路、Ｒ１……第１搬送路、Ｒ２……第２搬送路、Ｒ３……補充回収搬送路。
【図１】
0006740776.tif 000002
【図２】
0006740776.tif 000003
【図３】
0006740776.tif 000004
【図４】
0006740776.tif 000005
【図５】
0006740776.tif 000006
【図６】
0006740776.tif 000007
【図７】
0006740776.tif 000008
【図８】
0006740776.tif 000009
【図９】
0006740776.tif 000010
【図１０】
0006740776.tif 000011
【図１１】
0006740776.tif 000012
【図１２】
0006740776.tif 000013
【図１３】
0006740776.tif 000014
【図１４】
0006740776.tif 000015
【図１５】
0006740776.tif 000016
【図１６】
0006740776.tif 000017
【図１７】
0006740776.tif 000018
【図１８】
0006740776.tif 000019
【図１９】
0006740776.tif 000020
【図２０】
0006740776.tif 000021
【図２１】
0006740776.tif 000022
【図２２】
0006740776.tif 000023
【図２３】
0006740776.tif 000024
【図２４】
0006740776.tif 000025
【図２５】
0006740776.tif 000026
【図２６】
0006740776.tif 000027
【図２７】
0006740776.tif 000028
【図２８】
0006740776.tif 000029
【図２９】
0006740776.tif 000030
【図３０】
0006740776.tif 000031